(57)【要約】物体側から像側へと順に、正のパワーを有する第１レンズ群と、負のパワーを有する第２レンズ群と、少なくとも３つのレンズ群で構成された後続レンズ群を有し、後続レンズ群には２つ以上の正レンズ群を含み、第１レンズ群は２枚以下のレンズ素子で構成され、また、第２レンズ群は４枚以上のレンズ素子で構成され、第１レンズ群及び第２レンズ群は広角端から望遠端へのズーミング時に像面に対して移動し、無限遠合焦状態から近接物体合焦状態へのフォーカシングの際に、第３レンズ群と像面の間に配置されたレンズ群をフォーカスレンズ群として光軸に沿って移動するズームレンズ系。
2015146067.tif 000002
【特許請求の範囲】
【請求項１】
物体側から像側へと順に、
２枚以下のレンズ素子で構成される、正のパワーを有する第１レンズ群と、
４枚以上のレンズ素子で構成される、負のパワーを有する第２レンズ群と、
第３レンズ群を含む少なくとも３つのレンズ群で構成される後続レンズ群とからなり、
前記後続レンズ群には２つ以上の正レンズ群を含み、
前記第１レンズ群及び前記第２レンズ群は広角端から望遠端へのズーミング時に像に対して移動し、
無限遠合焦状態から近接物体合焦状態へのフォーカシングの際に、第３レンズ群と像面の間に配置されたレンズ群をフォーカスレンズ群として光軸に沿って移動し、
以下の条件式（１）、（２）を同時に満足する、ズームレンズ系：
０．１ ＜ α２ｆ／Ｗ ＜ ４．０  ・・・（１）
２．７ ＜ Ｇ１ｆ／Ｗｆ ＜ １４．０  ・・・（２）
ここで、
Ｗｆ：広角端における全系の焦点距離
α２ｆ：後続レンズ群に含まれる正レンズ群のうち２番目にパワーの強いレンズ群の焦点距離
Ｇ１f：第１レンズ群の焦点距離
である。
【請求項２】
前記後続レンズ群は、該後続レンズ群のいずれか、または、いずれかの後続レンズ群の一部を光軸に対して垂直方向に移動し、像ぶれを光学的に補正する像ぶれ補正レンズ群を有する、
請求項１に記載のズームレンズ系。
【請求項３】
前記像ぶれ補正レンズ群は、１枚のレンズ素子で構成される、
請求項２に記載のズームレンズ系。
【請求項４】
前記フォーカスレンズ群は２枚以下のレンズ素子で構成される、
請求項１から３に記載のズームレンズ系。
【請求項５】
前記後続レンズ群のうち最も像側に配置されたレンズ素子は正のパワーを有する、
請求項１から４に記載のズームレンズ系。
【請求項６】
前記後続レンズ群のうち最も物体側に配置されたレンズ素子は、物体側に凸面を有する、
請求項１から５に記載のズームレンズ系。
【請求項７】
前記第３レンズ群は、開口絞りを有する、
請求項１から６に記載のズームレンズ系。
【請求項８】
前記第３レンズ群は、広角端から望遠端へのズーミング時に像面に対して移動する、
請求項１から７に記載のズームレンズ系。
【請求項９】
前記後続レンズ群は、広角端から望遠端へのズーミング時に像面に対して移動する、
請求項１から８に記載のズームレンズ系。
【請求項１０】
以下の条件式（３）を満足する、請求項１から９に記載のズームレンズ系：
０．１ ＜ Ｇ１Ｄ／Ｗｆ ＜ １．０  ・・・（３）
ここで、
Ｇ１Ｄ：第１レンズ群Ｇ１の光軸上のレンズの厚み
である。
【請求項１１】
以下の条件式（４）を満足する、請求項１から１０に記載のズームレンズ系：
０．５ ＜ ｜Ｇ２ｆ／Ｗｆ｜ ＜ １．５  ・・・（４）
ここで、
Ｇ２ｆ：第２レンズ群Ｇ２の焦点距離
である。
【請求項１２】
以下の条件式（５）を満足する、請求項１から１１に記載のズームレンズ系：
２．０ ＜ ｜Ｇ１ｆ／Ｇ２ｆ｜ ＜ ８．０  ・・・（５）
である。
【請求項１３】
前記第２群を構成する４枚以上のレンズ素子は以下の条件式（６）を満足する、請求項１から１２に記載のズームレンズ系：
０．０２ ＜ Ｇ２ＬＤ／Ｗｆ ＜ １．０  ・・・（６）
ここで、
Ｇ２ＬＤ：第２レンズ群Ｇ２を構成するレンズ素子の内、最も薄いレンズ素子の厚み
である。
【請求項１４】
ズームレンズ系と、
前記ズームレンズ系が形成する光学像を受光して、電気的な画像信号に変換する撮像センサを含むカメラ本体と接続可能なレンズマウント部と、を備える交換レンズ装置において、
前記ズームレンズ系は、
物体側から像側へと順に、
２枚以下のレンズ素子で構成される、正のパワーを有する第１レンズ群と、
４枚以上のレンズ素子で構成される、負のパワーを有する第２レンズ群と、
第３レンズ群を含む少なくとも３つのレンズ群で構成される後続レンズ群とからなり、
前記後続レンズ群には２つ以上の正レンズ群を含み、
前記第１レンズ群及び前記第２レンズ群は広角端から望遠端へのズーミング時に像に対して移動し、
無限遠合焦状態から近接物体合焦状態へのフォーカシングの際に、第３レンズ群と像面の間に配置されたレンズ群をフォーカスレンズ群として光軸に沿って移動し、
以下の条件式（１）、（２）を同時に満足する、交換レンズ装置。
０．１ ＜ α２ｆ／Ｗｆ ＜ ４．０  ・・・（１）
２．７ ＜ Ｇ１ｆ／Ｗｆ ＜ １４．０  ・・・（２）
ここで、
Ｗｆ：広角端における全系の焦点距離
α２ｆ：後続レンズ群に含まれる正レンズ群のうち２番目にパワーの強いレンズ群の焦点距離
Ｇ１f：第１レンズ群の焦点距離
である。
【請求項１５】
交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体と、を備えるカメラシステムにおいて、前記交換レンズ装置は、
ズームレンズ系と、
前記ズームレンズ系が形成する光学像を受光して、電気的な画像信号に変換する撮像センサを含むカメラ本体と接続可能なレンズマウント部と、を備え、
前記ズームレンズ系は、
物体側から像側へと順に、
２枚以下のレンズ素子で構成される、正のパワーを有する第１レンズ群と、
４枚以上のレンズ素子で構成される、負のパワーを有する第２レンズ群と、
第３レンズ群を含む少なくとも３つのレンズ群で構成される後続レンズ群とからなり、
前記後続レンズ群には２つ以上の正レンズ群を含み、
前記第１レンズ群及び前記第２レンズ群は広角端から望遠端へのズーミング時に像に対して移動し、
無限遠合焦状態から近接物体合焦状態へのフォーカシングの際に、第３レンズ群と像面の間に配置されたレンズ群をフォーカスレンズ群として光軸に沿って移動し、
以下の条件式（１）、（２）を同時に満足する、
カメラシステム。
０．１ ＜ α２ｆ／Ｗｆ ＜ ４．０  ・・・（１）
２．７ ＜ Ｇ１ｆ／Ｗｆ ＜ １４．０  ・・・（２）
ここで、
Ｗｆ：広角端における全系の焦点距離
α２ｆ：後続レンズ群に含まれる正レンズ群のうち２番目にパワーの強いレンズ群の焦点距離
Ｇ１f：第１レンズ群の焦点距離
である。
【発明の詳細な説明】
【技術分野】
【０００１】
本開示は、コンパクトで結像性能に優れたズームレンズ系、該ズームレンズ系を含む交換レンズ装置及びカメラシステムに関する。
【背景技術】
【０００２】
特許文献１に開示のレンズ系は、正負正負正の５群構成で、像のぶれを光学的に補正するために光軸に対して垂直方向に移動する、第２レンズ群の一部又は第３レンズ群の一部である像ぶれ補正レンズ群を備えている。また、撮像時の広角端から望遠端へのズーミングの際に、第１レンズ群と第２レンズ群とがそれぞれ像面に対して移動する特徴を有したズームレンズ系を開示している。【０００３】
特許文献２に開示のレンズ系は、正負正正正を有する構成で、広角端状態から望遠端状態へのズーミングに際して、第１レンズ群と第２レンズ群との間隔が増大し、第２レンズ群と第３レンズ群との間隔が減少し、第３レンズ群と第４レンズ群との間隔が減少し、第４レンズ群と第５レンズ群との間隔が増大し、第３レンズ群と第４レンズ群とは物体側へ移動する。また、第４レンズ群は、物体側から順に、第１正レンズと第１負レンズとからなる第１接合レンズと、第２負レンズと第２正レンズとからなる第２接合レンズを有するズームレンズ系を開示している。【０００４】
特許文献３は、正負正負正負のパワーを有するレンズ群を含み、上記第４レンズ群ＧＲ４が光軸方向に移動することによってフォーカシングを行うことを特徴としたズームレンズ系を開示している。
【先行技術文献】
【特許文献】
【０００５】
【特許文献１】特開２０１２−２１２１０６号公報
【特許文献２】特開２００５−１０７２７３号公報
【特許文献３】特開２００６−２５１４６２号公報
【発明の概要】
【０００６】
本開示は、物体側から像側へと順に、２枚以下のレンズ素子からなる正のパワーを有する第１レンズ群と、４枚以上のレンズ素子からなる負のパワーを有する第２レンズ群と、第３レンズ群を含み、少なくとも３つのレンズ群で構成された後続群を備え、広角端から望遠端へのズーミング時に第１レンズ群と第２レンズ群が物体側に移動し、第３群よりも像側にフォーカスレンズ群を有し、後続群には少なくとも２つ以上の正レンズ群を有するズームレンズ系である。
【０００７】
また、本開示は、上記のズームレンズ系と、ズームレンズ系が形成する光学像を受光して電気的な画像信号に変換する撮像センサとを含むカメラ本体と接続可能なレンズマウント部とを備える、交換レンズ装置である。
【０００８】
また、本開示は、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラシステムである。
【図面の簡単な説明】
【０００９】
【図１】図１は、実施の形態１（実施例１）に係るズームレンズ系の無限遠合焦状態を示すレンズ配置図である。
【図２】図２は、実施例１に係るズームレンズ系の無限遠合焦状態の縦収差図である。
【図３】図３は、実施例１に係るズームレンズ系の望遠端における、像ぶれ補正を行っていない基本状態及び像ぶれ補正状態での横収差図である。
【図４】図４は、実施の形態２（実施例２）に係るズームレンズ系の無限遠合焦状態を示すレンズ配置図である。
【図５】図５は、実施例２に係るズームレンズ系の無限遠合焦状態の縦収差図である。
【図６】図６は、実施例２に係るズームレンズ系の望遠端における、像ぶれ補正を行っていない基本状態及び像ぶれ補正状態での横収差図である。
【図７】図７は、実施の形態３（実施例３）に係るズームレンズ系の無限遠合焦状態を示すレンズ配置図である。
【図８】図８は、実施例３に係るズームレンズ系の無限遠合焦状態の縦収差図である。
【図９】図９は、実施例３に係るズームレンズ系の望遠端における、像ぶれ補正を行っていない基本状態及び像ぶれ補正状態での横収差図である。
【図１０】図１０は、実施の形態４（実施例４）に係るズームレンズ系の無限遠合焦状態を示すレンズ配置図である。
【図１１】図１１は、実施例４に係るズームレンズ系の無限遠合焦状態の縦収差図である。
【図１２】図１２は、実施例４に係るズームレンズ系の望遠端における、像ぶれ補正を行っていない基本状態及び像ぶれ補正状態での横収差図である。
【図１３】図１３は、実施の形態５（実施例５）に係るズームレンズ系の無限遠合焦状態を示すレンズ配置図である。
【図１４】図１４は、実施例５に係るズームレンズ系の無限遠合焦状態の縦収差図である。
【図１５】図１５は、実施例５に係るズームレンズ系の望遠端における、像ぶれ補正を行っていない基本状態及び像ぶれ補正状態での横収差図である。
【図１６】図１６は、実施の形態６（実施例６）に係るズームレンズ系の無限遠合焦状態を示すレンズ配置図である。
【図１７】図１７は、実施例６に係るズームレンズ系の無限遠合焦状態の縦収差図である。
【図１８】図１８は、実施例６に係るズームレンズ系の望遠端における、像ぶれ補正を行っていない基本状態及び像ぶれ補正状態での横収差図である。
【図１９】図１９は、実施の形態７に係るカメラシステムの概略構成図である。
【発明を実施するための形態】
【００１０】
図１、４、７、１０、１３、１６は、それぞれ、実施の形態１、２、３、４、５、６に係るズームレンズ系のレンズ配置図であり、いずれも無限遠合焦状態にあるズームレンズ系を表している。（ａ）図は広角端（最短焦点距離状態：焦点距離ｆＷ）のレンズ構成、（ｂ）図は、中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１１】
また、図１、４、７、１０、１３、１６において、特定の面に付されたアスタリスク＊は、外面が非球面であることを示している。各レンズ群の符号に付された記号（＋）及び記号（−）は、各レンズ群のパワーの符号に対応する。更に、最も右側に記載された直線は、像面Ｓの位置を表す。更に、第３レンズ群Ｇ３内には開口絞りＡが設けられている。
【００１２】
実施の形態１〜６に係るズームレンズ系は、物体側から像側へと順に、正のパワーを有する第１レンズ群と、負のパワーを有する第２レンズ群と、少なくとも３つのレンズ群で構成された後続群を備える。
【００１３】
実施の形態１〜６に係るズームレンズ系は、光学系が振動した際の像ぶれを補正するために光軸と垂直方向に移動する、１枚のレンズ素子または複数枚のレンズ素子によって構成された像ぶれ補正レンズ群を有する。さらに、無限遠合焦状態から近接合焦状態へのフォーカシングに際して、光軸に沿って移動する、１枚のレンズ素子または複数枚のレンズ素子によって構成されたフォーカスレンズ群を有する。
【００１４】
（実施の形態１）
第１レンズ群Ｇ１は、物体側に凸面を向けた正メニスカス形状の第１レンズ素子Ｌ１からなる。
【００１５】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５からなる。第３レンズ素子Ｌ３の物体側と像側の面は非球面である。
【００１６】
第３レンズ群Ｇ３は、物体側から像側へと順に、開口絞りＡと両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８と、両凸形状の第９レンズ素子Ｌ９と、両凹形状の第１０レンズ素子Ｌ１０からなる。第７レンズ素子Ｌ７と第８レンズ素子Ｌ８は互いに接合されている。また、第７レンズ素子Ｌ７の物体側面及び第１０レンズ素子Ｌ１０の物体側と像側の面は非球面である。
【００１７】
第４レンズ群Ｇ４は、物体側から像側へと順に、両凸形状の第１１レンズ素子Ｌ１１と、物体側に凸面を向けた負メニスカス形状の第１２レンズ素子Ｌ１２からなる。第１２レンズ素子Ｌ１２の物体側と像側の面は非球面である。
【００１８】
第５レンズ群Ｇ５は、物体側に凸面を向けた負メニスカス形状の第１３レンズ素子Ｌ１３からなる。
【００１９】
第６レンズ群Ｇ６は、物体側から像側へと順に、両凹形状の第１４レンズ素子Ｌ１４と、物体側に凸面を向けた正メニスカス形状の第１５レンズ素子Ｌ１５からなる。第１４レンズ素子Ｌ１４と第１５レンズ素子Ｌ１５は互いに接合されている。
【００２０】
各レンズ群はズーミング時に広角端から望遠端にかけて、第１レンズ群Ｇ１群と第２レンズ群の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は広がるように移動する。
【００２１】
また、無限遠合焦状態から近接合焦状態へのフォーカシングに際して、第５レンズ群Ｇ５が光軸に沿って像側へ移動する。さらに、レンズ系が振動した際の像ぶれを補正するために、第３レンズ群Ｇ３の一部である第１０レンズ素子Ｌ１０が像ぶれ補正レンズ群として光軸と垂直方向に移動する。
【００２２】
（実施の形態２）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２からなる。第１レンズ素子Ｌ１と第２レンズ素子Ｌ２は互いに接合されている。
【００２３】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６からなる。第４レンズ素子Ｌ４の物体側と像側の面は非球面である。
【００２４】
第３レンズ群Ｇ３は、物体側から像側へと順に、開口絞りＡと、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、両凹形状の第１１レンズ素子Ｌ１１からなる。第８レンズ素子Ｌ８と第９レンズ素子Ｌ９は互いに接合されており、また、第８レンズ素子Ｌ８の物体側の面及び第１１レンズ素子Ｌ１１の物体側と像側の面は非球面である。
【００２５】
第４レンズ群Ｇ４は、物体側から像側へと順に、両凸形状の第１２レンズ素子Ｌ１２と、物体側に凸面を向けた負メニスカス形状の第１３レンズ素子Ｌ１３からなる。第１３レンズ素子Ｌ１３の物体側と像側の面は非球面である。
【００２６】
第５レンズ群Ｇ５は、物体側に凸面を向けた負メニスカス形状の第１４レンズ素子Ｌ１４からなる。
【００２７】
第６レンズ群Ｇ６は、物体側から像側へと順に、両凹形状の第１５レンズ素子Ｌ１５と、物体側に凸面を向けた正メニスカス形状の第１６レンズ素子Ｌ１６からなる。第１５レンズ素子Ｌ１５と第１６レンズ素子Ｌ１６は互いに接合されている。
【００２８】
各レンズ群はズーミング時に広角端から望遠端にかけて、第１レンズ群Ｇ１群と第２レンズ群の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は広がるように移動する。
【００２９】
また、無限遠合焦状態から近接合焦状態へのフォーカシングに際して、第５レンズ群Ｇ５が光軸に沿って像側へ移動する。さらに、光学系が振動した際の像ぶれを補正するために、第３レンズ群Ｇ３の一部である第１１レンズ素子Ｌ１１が像ぶれ補正レンズ群として光軸と垂直方向に移動する。
【００３０】
（実施の形態３）
第１レンズ群Ｇ１は、物体側に凸面を向けた正メニスカス形状の第１レンズ素子Ｌ１からなる。
【００３１】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、両凸形状の第５レンズ素子Ｌ５と、像側に凸面を向けた負メニスカス形状の第６レンズ素子Ｌ６からなる。第３レンズ素子Ｌ３の物体側と像側の面は非球面である。
【００３２】
第３レンズ群Ｇ３は、物体側から像側へと順に、開口絞りＡと両凸形状の第７レンズ素子Ｌ７と像側に凸面を向けた負メニスカス形状の第８レンズ素子Ｌ８と、両凸形状の第９レンズ素子Ｌ９と、両凹形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２からなる。第９レンズ素子Ｌ９と第１０レンズ素子Ｌ１０は互いに接合されている。第１１レンズ素子Ｌ１１と第１２レンズ素子Ｌ１２は互いに接合されている。また、第８レンズ素子Ｌ８の物体側と像側の面及び第９レンズ素子Ｌ９の物体側の面は非球面である。
【００３３】
第４レンズ群Ｇ４は、物体側に凸面を向けた負メニスカス形状の第１３レンズ素子Ｌ１３からなっている。
【００３４】
第５レンズ群Ｇ５は、両凸形状の第１４レンズ素子Ｌ１４からなる。第１４レンズ素子Ｌ１４の物体側と像側の面は非球面である。
【００３５】
第６レンズ群Ｇ６は、物体側に凸面を向けた負メニスカス形状の第１５レンズ素子Ｌ１５からなっている。
【００３６】
第７レンズ群Ｇ７は、物体側から像側へと順に、両凹形状の第１６レンズ素子Ｌ１６と、物体側に凸面を向けた正メニスカス形状の第１７レンズ素子Ｌ１７からなる。第１６レンズ素子Ｌ１６と第１７レンズ素子Ｌ１７は互いに接合されている。第１６レンズ素子Ｌ１６の物体側の面は非球面である。
【００３７】
各レンズ群はズーミング時に広角端から望遠端にかけて、第１レンズ群Ｇ１群と第２レンズ群の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は広くなり、第５レンズ群Ｇ５と第６レンズ群Ｇ６の間隔は狭くなり、第６レンズ群Ｇ６と第７レンズ群Ｇ７は広がるように移動する。
【００３８】
また、無限遠合焦状態から近接合焦状態へのフォーカシングに際して、第４レンズ群Ｇ４と第６レンズ群Ｇ６が光軸に沿って移動する。さらに、光学系が振動した際の像ぶれを補正するために、第３レンズ群Ｇ３の一部である第８レンズ素子Ｌ８が像ぶれ補正レンズ群として光軸と垂直方向に移動する。
【００３９】
（実施の形態４）
第１レンズ群Ｇ１は、物体側に凸面を向けた正メニスカス形状の第１レンズ素子Ｌ１からなる。
【００４０】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５からなる。第２レンズ素子Ｌ２の物体側の面は非球面である。
【００４１】
第３レンズ群Ｇ３は、物体側から像側へと順に、両凸形状の第６レンズ素子Ｌ６と、開口絞りＡと、物体側に凸面を向けた正メニスカス形状の第７レンズ素子Ｌ７と、物体側に凸面を向けた負メニスカス形状の第８レンズ素子Ｌ８と、両凸形状の第９レンズ素子Ｌ９と、両凹形状の第１０レンズ素子Ｌ１０からなる。第７レンズ素子Ｌ７と第８レンズ素子Ｌ８は互いに接合されている。また、第７レンズ素子Ｌ７の物体側の面及び第１０レンズ素子Ｌ１０の物体側及び像側の面は非球面である。
【００４２】
第４レンズ群Ｇ４は、物体側から像側へと順に、両凸形状の第１１レンズ素子Ｌ１１と、物体側に凸面を向けた負メニスカス形状の第１２レンズ素子Ｌ１２からなる。第１２レンズ素子Ｌ１２の物体側と像側の面は非球面である。
【００４３】
第５レンズ群Ｇ５は、物体側から像側へと順に、物体側に凸面を向けた負メニスカス形状の第１３レンズ素子Ｌ１３と、物体側に凸面を向けた負メニスカス形状の第１４レンズ素子Ｌ１４からなる。第１３レンズ素子Ｌ１３と第１４レンズ素子Ｌ１４は互いに接合されている。
【００４４】
第６レンズ群Ｇ６は、物体側から像側へと順に、物体側に凸面を向けた負のメニスカス形状の第１５レンズ素子Ｌ１５と、物体側に凸面を向けた正メニスカス形状の第１６レンズ素子Ｌ１６からなる。第１５レンズ素子Ｌ１５と第１６レンズ素子Ｌ１６は互いに接合されている。
【００４５】
各レンズ群はズーミング時に広角端から望遠端にかけて、第１レンズ群Ｇ１群と第２レンズ群の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は広がるように移動する。
【００４６】
また、無限遠合焦状態から近接合焦状態へのフォーカシングに際して、第５レンズ群Ｇ５が光軸に沿って像側へ移動する。さらに、光学系が振動した際の像ぶれを補正するために、第３レンズ群Ｇ３の一部である第１０レンズ素子Ｌ１０が像ぶれ補正レンズ群として光軸と垂直方向に移動する。
【００４７】
（実施の形態５）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２からなる。第１レンズ素子Ｌ１と第２レンズ素子Ｌ２は互いに接合されている。
【００４８】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、両凸形状の第６レンズ素子Ｌ６と、像側に凸面を向けた負メニスカス形状の第７レンズ素子Ｌ７からなる。第４レンズ素子Ｌ４の物体側と像側の面は非球面である。
【００４９】
第３レンズ群Ｇ３は、物体側から像側へと順に、開口絞りＡと、両凸形状の第８レンズ素子Ｌ８と、像側に凸面を向けた負メニスカス形状の第９レンズ素子Ｌ９と、両凸形状の第１０レンズ素子Ｌ１０と、両凹形状の第１１レンズ素子Ｌ１１からなる。第１０レンズ素子Ｌ１０と第１１レンズ素子Ｌ１１は互いに接合されている。また、第１０レンズ素子Ｌ１０の物体側の面は非球面である。
【００５０】
第４レンズ群Ｇ４は、物体側から像側へと順に、物体側に凸面を向けた負メニスカス形状の第１２レンズ素子Ｌ１２と、物体側に凸面を向けた正メニスカス形状の第１３レンズ素子Ｌ１３と、両凸形状の第１４レンズ素子Ｌ１４と、両凸形状の第１５レンズ素子Ｌ１５からなる。第１２レンズ素子Ｌ１２と第１３レンズ素子Ｌ１３は互いに接合されている。また、第１４レンズ素子Ｌ１４の物体側と像側の面と、第１５レンズ素子Ｌ１５の物体側と像側の面は非球面である。
【００５１】
第５レンズ群Ｇ５は、物体側に凸面を向けた負メニスカス形状の第１６レンズ素子Ｌ１６からなる。
【００５２】
第６レンズ群Ｇ６は、物体側から像側へと順に、両凹形状の第１７レンズ素子Ｌ１７と、両凸形状の第１８レンズ素子Ｌ１８からなる。第１７レンズ素子Ｌ１７と第１８レンズ素子Ｌ１８は互いに接合されている。
【００５３】
各レンズ群はズーミング時に広角端から望遠端にかけて、第１レンズ群Ｇ１群と第２レンズ群の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は狭くなるように移動する。
【００５４】
また、無限遠合焦状態から近接合焦状態へのフォーカシングに際して、第５レンズ群Ｇ５が光軸に沿って移動する。さらに、光学系が振動した際の像ぶれを補正するために、第４レンズ群Ｇ４の一部である第１４レンズ素子Ｌ１４が像ぶれ補正レンズ群として光軸と垂直方向に移動する。
【００５５】
（実施の形態６）
第１レンズ群Ｇ１は、物体側に凸面を向けた正メニスカス形状の第１レンズ素子Ｌ１からなる。
【００５６】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４と、両凸形状の第５レンズ素子Ｌ５と、両凸形状の第６レンズ素子Ｌ６と、像側に凸面を向けた負メニスカス形状の第７レンズ素子Ｌ７からなる。第４レンズ素子Ｌ４と第５レンズ素子Ｌ５は互いに接合されている。また、第３レンズ素子Ｌ３の物体側と像側の面は非球面である。
【００５７】
第３レンズ群Ｇ３は、物体側から像側へと順に、開口絞りＡと、両凸形状の第８レンズ素子Ｌ８からなる。
【００５８】
第４レンズ群Ｇ４は、物体側から像側へと順に、両凹形状の第９レンズ素子Ｌ９と、両凸形状の第１０レンズ素子Ｌ１０と、両凹形状の第１１レンズ素子Ｌ１１と、物体側に凸面を向けた負メニスカス形状の第１２レンズ素子Ｌ１２と、物体側に凸面を向けた正メニスカス形状の第１３レンズ素子Ｌ１３と、両凸形状の第１４レンズ素子Ｌ１４と、両凸形状の第１５レンズ素子Ｌ１５からなる。第１０レンズ素子Ｌ１０と第１１レンズ素子Ｌ１１とが互いに接合されているとともに、第１２レンズ素子Ｌ１２と第１３レンズ素子Ｌ１３とが互いに接合されている。また、第１０レンズ素子Ｌ１０の物体側の面及び第１４レンズ素子Ｌ１４の物体側と像側の面、第１５レンズ素子Ｌ１５の物体側と像側の面は非球面である。
【００５９】
第５レンズ群Ｇ５は、物体側に凸面を向けた負メニスカス形状の第１６レンズ素子Ｌ１６からなる。
【００６０】
第６レンズ群Ｇ６は、物体側から像側へと順に、両凹形状の第１７レンズ素子Ｌ１７と、両凸形状の第１８レンズ素子Ｌ１８からなる。第１７レンズ素子Ｌ１７と第１８レンズ素子Ｌ１８とは互いに接合されている。
【００６１】
各レンズ群はズーミング時に広角端から望遠端にかけて、第１レンズ群Ｇ１群と第２レンズ群の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は狭くなるように移動する。
【００６２】
また、無限遠合焦状態から近接合焦状態へのフォーカシングに際して、第５レンズ群Ｇ５が光軸に沿って移動する。さらに、光学系が振動した際の像ぶれを補正するために、第４レンズ群Ｇ４の一部である第１４レンズ素子Ｌ１４が像ぶれ補正レンズ群として光軸と垂直方向に移動する。
【００６３】
実施の形態１〜６では、広角端から望遠端へのズーミングに際して、第１レンズ群Ｇ１と第２レンズ群Ｇ２との間隔が広角端より望遠端で長く、第２レンズ群Ｇ２と第３レンズ群Ｇ３との間隔が広角端より望遠端で短くなるように、各レンズ群が光軸に沿って物体側に移動し、開口絞りＡは第３レンズ群Ｇ３と共に光軸に沿って移動する。
【００６４】
実施の形態１〜６に係るズームレンズ系のように、広角端から望遠端へのズーミング時には第１レンズ群Ｇ１が光軸に沿って移動することが好ましい。
【００６５】
第１レンズ群Ｇ１を可動群とすることにより、後続するレンズ群の光線高を小さくすることができる。これより後続するレンズ群の小径化を実現できる。さらには、インナーフォーカス方式を採用する光学系において、フォーカスレンズ群の小径化と軽量化を可能にする。
【００６６】
また、広角端から望遠端へのズーミング時に、第２レンズ群Ｇ２が光軸に沿って移動することが好ましい。広角端から望遠端へのズーミング時に第２レンズ群Ｇ２を像面に対して移動させることで、ズーム全域で像面湾曲を補正でき、結像性能を向上することができる。
【００６７】
また、広角端から望遠端へのズーミング時に、第３レンズ群Ｇ３が光軸に沿って移動することが好ましい。第３レンズ群Ｇ３をズームレンズ群として変倍に寄与させることで、ズームレンズ系の小型化を図りつつ、結像性能を向上することができる。
【００６８】
また、広角端から望遠端へのズーミング時に、第２レンズ群よりも像側にある後続レンズ群が光軸に沿って移動することが好ましい。この後続レンズ群を像面に対して可動群とすることにより、ズームレンズ系の小型化を図りつつ、ズーム倍率を確保しながら結像性能を向上させことができる。
【００６９】
実施の形態１〜６に係るズームレンズ系では、無限遠合焦状態から近接合焦状態へのフォーカシングに際して、２枚以下のレンズ素子で構成されたフォーカスレンズ群が光軸に沿って移動する。フォーカスレンズ群を２枚以下のレンズ素子で構成することにより、フォーカスレンズ群の重量を軽量化することができる。
【００７０】
さらにフォーカスレンズ群は、単レンズ素子で構成されていることが望ましい。この場合、軽量なフォーカスレンズ群でフォーカシングの高速化が実現できる。
【００７１】
実施の形態３に係るズームレンズ系では、無限遠合焦状態から近接合焦状態へのフォーカシングに際して、２つのフォーカスレンズ群が光軸に沿って移動する。２つ以上のレンズ群をフォーカスレンズ群として移動させることにより、近接合焦状態での光学性能を良好に保つことが可能となる。
【００７２】
実施の形態１〜６に係るズームレンズ系では、光学系が振動した際の像ぶれを補正するために、開口絞りＡよりも像側に配置されたレンズ群、またはレンズ群の一部のレンズ素子を光軸と垂直方向に移動させる。像ぶれ補正を開口絞りＡより像側の像ぶれ補正レンズ群で行うことにより、像ぶれ補正レンズ群のレンズ径を小型化できる。また、像ぶれ補正レンズ群を単レンズで構成すると、像ぶれ補正機構の構成を簡略化でき鏡筒の小型化に寄与する。
【００７３】
さらには、像ぶれ補正レンズ群よりも像側に一つ以上の正のパワーを有する後続群を配置することで、像ぶれ補正時の光学性能を良好に保つことができる。
【００７４】
また、各実施の形態に係るズームレンズ系では、第１レンズ群Ｇ１は、正のパワーを有するレンズ素子を含む２枚以下のレンズ素子により構成されている。第１レンズ群Ｇ１のレンズ素子を２枚以下で構成することにより、光学系の全長の短縮が可能となる。
【００７５】
さらには、第１レンズ群Ｇ１を正のパワーを有するレンズ素子１枚で構成することで、光学全長の短縮効果をより一層高めることが可能となる。
【００７６】
実施の形態１から６に係るズームレンズ系のように、第２レンズ群Ｇ２は４枚以上のレンズ素子で構成されている。第２群を４枚以上のレンズ素子で構成することで、望遠端における球面収差を良好に補正することができる。さらに、望遠端で大口径を確保するためには、開口絞りＡを広角端よりも望遠端側で広く開ける必要があるが、その結果として望遠端の球面収差が多く発生し光学性能に悪い影響を及ぼす。しかし、第２レンズ群Ｇ２は４枚以上のレンズ素子を配置することによって、望遠端で発生する球面収差を十分に補正することが可能となる。
【００７７】
また、第２レンズ群Ｇ２は、物体側から像側へと順に負のパワーを有するレンズ素子２枚と正のパワーを有するレンズ素子１枚を含む構成となっているが、これはズーム全域での像面湾曲を補正し光学性能を向上させる効果を持つ。
【００７８】
開口絞りＡを有する第３レンズ群Ｇ３は、両凸形状のレンズ素子を少なくとも１枚以上含む構成となっている。これにより、軸上光束が広がる開口絞りＡ付近にて球面収差を効果的に補正することができる。
【００７９】
さらに、実施の形態１から６に係るズームレンズ系の最も像側の最物体側レンズ素子は、正のパワーを有することで、撮像面に配置された撮像素子に入射する光線の入射角度を緩くすることが可能となり、結像性能が向上する。また、最物体側レンズ素子は、物体側に凸面を有することが望ましい。これにより、撮像素子に入射する光線の入射角を浅くでき、歪曲収差の発生を抑えることができる。
【００８０】
以下、例えば実施の形態１から６に係るズームレンズ系のごときズームレンズ系が満足することが好ましい条件を説明する。なお、実施の形態１から６に係るズームレンズ系に対して、複数の好ましい条件が規定されるが、これら複数の条件全てを満足するズームレンズ系の構成が最も望ましい。しかしながら、個別の条件を満足することにより、それぞれ対応する効果を奏するズームレンズ系を得ることも可能である。
【００８１】
実施の形態１から６に係るズームレンズ系は、以下の条件（１）を満足することが好ましい。
【００８２】
０．１ ＜ α２ｆ／Ｗｆ ＜ ４．０  ・・・（１）
ここで、
Ｗｆ：広角端焦点距離
α２ｆ：α２の焦点距離
である。
【００８３】
条件（１）は、後続レンズ群に含まれる正レンズ群のうち、２番目にレンズパワーの強い正レンズ群の焦点距離を規定する。実施の形態１から６に係るズームレンズ系において条件（１）が満たされる場合、光学性能を良好に保ちながら、光学全長の短縮化が可能となる。
【００８４】
条件（１）の上限を超えると、後続レンズ群を構成する正レンズ群のレンズパワーが弱くなり、その結果として光学全長が大きくなるため、小型化を目指す上で好ましくない。
【００８５】
一方、条件（１）の下限を下回ると、光学系全体の中で後続レンズ群を構成する正レンズ群のレンズパワーが強くなり諸収差を補正できず、高い光学性能を維持することが困難となる。
【００８６】
上記条件（１）に加えて、実施の形態１から６に係るズームレンズ系が、以下の条件（１）’及び（１）’’の少なくとも一方を満足する場合、上述の効果が更に顕著に発揮される。
【００８７】
０．５ ＜ α２ｆ／Ｗｆ  ・・・（１）’
α２ｆ／Ｗｆ ＜ ３．５  ・・・（１）’’
条件（１）’、（１）’’に加えて、実施の形態１〜６に係るズームレンズ系が、以下の条件（１）’’’及び（１）’’’’の少なくとも一方を満足する場合、上述の有利な効果が更に顕著に発揮される。
【００８８】
１．０ ＜ α２ｆ／Ｗｆ  ・・・（１）’’’
α２ｆ／Ｗｆ ＜ ３．０  ・・・（１）’’’’
実施の形態１から６に係るズームレンズ系は、以下の条件（２）を満足することが好ましい。
【００８９】
２．７ ＜ Ｇ１ｆ／Ｗｆ ＜ １４．０  ・・・（２）
ここで、
Ｇ１ｆ：第１群の焦点距離
である。
【００９０】
条件（２）は、第１レンズ群の焦点距離を規定している。条件（２）が満たされる場合、第１レンズ群で入射光線を収斂させて第２レンズ群に入射させる際、第２レンズ群の有効径を小さくでき、全系の小型化が可能となる。条件式（２）の上限値を越えると、第１レンズ群のレンズパワーが弱くなり、第２レンズ群に入射する収斂度合いが少なくなり、第２レンズ群の有効径が大きくなり小型化が困難となる。一方、条件式（２）の下限を下回ると、第１レンズ群で発生する収差を２枚以下のレンズ素子で良好に補正することが困難となり、第１レンズ群を構成するレンズ素子を増やすことになる。その結果として、光学全長が長くなるため小型化には向かない。
【００９１】
上記条件（２）に加えて、実施の形態１から６に係るズームレンズ系が、以下の条件（２）’及び（２）’’の少なくとも一方を満足する場合、上述の効果が更に発揮される。
【００９２】
３．０ ＜ Ｇ１ｆ／Ｗｆ  ・・・（２）’
Ｇ１ｆ／Ｗｆ ＜ １０．０  ・・・（２）’’
さらに、上記条件（２）’及び（２）’’に加えて、実施の形態１から６に係るズームレンズ系が、以下の条件（２）’’’及び（２）’’’’の少なくとも一方を満足する場合、上述の効果が更に顕著に発揮される。
【００９３】
３．３ ＜ Ｇ１ｆ／Ｗｆ  ・・・（２）’’’
Ｇ１ｆ／Ｗｆ ＜ ７．０  ・・・（２）’’’’
実施の形態１から６に係るズームレンズ系は、以下の条件（３）を満足することが好ましい。
【００９４】
０．１ ＜ Ｇ１Ｄ／Ｗｆ ＜ １．０  ・・・（３）
ここで、
Ｇ１Ｄ：第１レンズ群Ｇ１の光軸上厚み
である、
条件式（３）は、第１レンズ群のレンズの光軸上の厚みを規定している。条件式（３）が満たされる場合、第１レンズ群を小型に維持しながら光学性能を良好に補正できる。条件式（３）の上限値を越えると、第１レンズ群が２枚以下で構成される場合には、第１レンズ群を通過する入射光の光路長が長く色収差を悪化させることになるために適切ではない。一方、条件式（３）の下限値を下回ると、適切なレンズパワーを有するレンズ素子で第１レンズ群を構成することが困難となり、第２レンズ群の有効径を拡大させ鏡筒径の大型化を伴うため好ましくない。
【００９５】
上記条件（３）に加えて、実施の形態１から６に係るズームレンズ系が、以下の条件（３）’及び（３）’’の少なくとも一方を満足する場合、上述の効果が更に顕著に発揮される。
【００９６】
０．２ ＜ Ｇ１Ｄ／Ｗｆ  ・・・（３）’
Ｇ１Ｄ／Ｗｆ ＜ ０．５  ・・・（３）’’
実施の形態１から６に係るズームレンズ系は、以下の条件（４）を満足することが好ましい。
【００９７】
０．５ ＜ ｜Ｇ２ｆ／Ｗｆ｜ ＜ １．５  ・・・（４）
ここで、
Ｇ２ｆ：第２レンズ群Ｇ２の焦点距離
である
条件式（４）は、第２レンズ群の焦点距離を規定している。条件式（４）が満たされる場合、第１レンズ群を小型に維持しながら光学性能を良好に補正が可能となる。条件式（４）の上限値を越えると、第１レンズ群に入射する光線位置が高くなり、十分な周辺光量比を確保できない。一方、条件式（４）の下限値を下回ると、第２レンズ群のレンズパワーが強くなり収差補正が困難となる。
【００９８】
上記条件（４）に加えて、実施の形態１から６に係るズームレンズ系が、以下の条件（４）’及び（４）’’の少なくとも一方を満足する場合、上述の効果が更に顕著に発揮される。
【００９９】
０．８ ＜ ｜Ｇ２ｆ／Ｗｆ｜  ・・・（４）’
｜Ｇ２ｆ／Ｗｆ｜ ＜ １．２  ・・・（４）’’
実施の形態１から６に係るズームレンズ系は、以下の条件（５）を満足することが好ましい。
【０１００】
２．０ ＜ ｜Ｇ１ｆ／Ｇ２ｆ｜ ＜ ８．０  ・・・（５）
条件式（５）は、第１レンズ群と第２レンズ群の焦点距離の比を規定している。条件式（５）が満たされる場合、第１レンズ群と第２レンズ群を小径に維持しながら、光学性能を良好な状態に保つことが可能となる。条件式（５）の上限値を越えると、第１レンズ群に入射する光線位置が高くなり、十分な周辺光量比を確保することが困難となる。一方、条件式（５）の下限値を下回ると、２枚以下のレンズ素子で構成される小型な光学系では収差補正が困難となり、良好な光学性能を維持することができないため好ましくない。
【０１０１】
上記条件（５）に加えて、実施の形態１から６に係るズームレンズ系が、以下の条件（５）’及び（５）’’の少なくとも一方を満足する場合、上述の効果が更に顕著に発揮される。
【０１０２】
３．５ ＜ ｜Ｇ１ｆ／Ｇ２ｆ｜  ・・・（５）’
｜Ｇ１ｆ／Ｇ２ｆ｜ ＜ ７．０  ・・・（５）’’
実施の形態１から６に係るズームレンズ系は、以下の条件（６）を満足することが好ましい。
【０１０３】
０．０２ ＜ Ｇ２ＬＤ／Ｗｆ ＜ １．０  ・・・（６）
ここで、
Ｇ２ＬＤ：第２レンズ群を構成するレンズ素子で最も薄いものの厚み
条件式（６）は、第２レンズ群を構成するレンズ素子の中でもっとも薄いレンズ素子の厚みを規定している。条件式（６）が満たされる場合、第２レンズ群の群厚みを薄くし、コンパクトな光学系を維持しながら光学性能を良好に保つことができる。条件式（６）の上限値を越えると、特に広角端において軸外光線の倍率色収差が多く発生し、良好な光学性能を確保することが困難となる。一方、条件式（６）の下限値を下回ると、周辺画角における像面湾曲の発生が顕著となる。
【０１０４】
上記条件（６）に加えて、実施の形態１から６に係るズームレンズ系が、以下の条件（６）’及び（６）’’の少なくとも一方を満足する場合、上述の効果が更に顕著に発揮される。
【０１０５】
０．０３ ＜ Ｇ２ＬＤ／Ｗｆ  ・・・（６）’
Ｇ２ＬＤ／Ｗｆ ＜ ０．０７  ・・・（６）’’
なお、実施の形態１から６に係るズームレンズ系の各レンズ群は、入射光線を屈折により変更させる屈折型レンズ素子（つまり、異なる屈折率を有する媒質同士の界面で偏向が行われるタイプのレンズ）のみで構成しても良い。
【０１０６】
あるいは、各レンズ群は、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類または複数種類の組み合わせによって構成しても良い。
【０１０７】
（実施の形態７）
図１９は、実施の形態７に係るレンズ交換式のデジタルカメラシステムの概略構成図である。本実施の形態に係るデジタルカメラシステム１００（以下、単に「カメラシステム」という）は、カメラ本体１０１と、カメラ本体１０１に着脱自在に接続される交換レンズ装置２０１とを備える。
【０１０８】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。
【０１０９】
一方、交換レンズ装置２０１は、上記の実施の形態１〜６のいずれかに係るズームレンズ系２０２と、ズームレンズ系２０２を保持する鏡筒と、カメラ本体のカメラマウント部１０４に接続されるレンズマウント部２０４とを含む。
【０１１０】
カメラマウント部１０４及びレンズマウント部２０４は、物理的な接続のみならず、カメラ本体１０１の内部のコントローラ（図示せず）と交換レンズ装置２０１内のコントローラ（図示せず）とを電気的に接続し、相互の信号のやり取りを可能とするインターフェースとしても機能する。
【０１１１】
実施の形態７では、実施の形態１〜６のいずれかに係るズームレンズ系２０２を用いている。したがって、コンパクトで結像性能に優れた交換レンズ装置を低コストで実現することができる。また、本実施の形態に係るカメラシステム１００全体の小型化及び低コスト化も達成できる。
【０１１２】
以下、上記の実施の形態１から６に係るズームレンズ系を具体的に実施した数値実施例を説明する。後述するように、数値実施例１、２、３、４，５，６は、それぞれ実施の形態１、２、３、４，５，６に対応する。
【０１１３】
なお、各数値実施例において、各表における長さの単位はすべて「ｍｍ」であり、画角の単位はすべて「°」である。
【０１１４】
また、各数値実施例において、ｒは曲率半径、ｄは面間隔、ｎｄはｄ線に対する屈折率、ｖｄはｄ線に対するアッベ数である。
【０１１５】
また、各数値実施例において、＊印を付した面は非球面であり、非球面形状は次式で定義している。
【０１１６】
【数１】
2015146067.tif 000003
【０１１７】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１８】
図２、５、８、１１、１４、１７は、それぞれ数値実施例１、２、３、４、５、６に係るズームレンズ系の無限遠合焦状態の縦収差図である。
【０１１９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。
【０１２０】
非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２１】
図３、６、９、１２、１５、１８は、それぞれ数値実施例１、２、３、４、５，６に係るズームレンズ系の像ぶれ補正を行っていない基本状態及び像ぶれ補正状態での横収差図である。
【０１２２】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態にそれぞれ対応する。
【０１２３】
基本状態の各横収差図のうち、上段は最大像高の７０％の像点における横収差、中段は軸上像点における横収差、下段は最大像高の−７０％の像点における横収差に、それぞれ対応する。
【０１２４】
像ぶれ補正状態の各横収差図のうち、上段は最大像高の７０％の像点における横収差、中段は軸上像点における横収差、下段は最大像高の−７０％の像点における横収差に、それぞれ対応する。
【０１２５】
また、各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１２６】
各数値実施例のズームレンズ系の像ぶれ補正状態において、望遠端における、像ぶれ補正サブレンズ群の光軸と垂直な方向への移動量（ＹＴ（ｍｍ））は、以下の表１に示す通りである。
【０１２７】
像ぶれ補正角は、０．３°である。すなわち、以下の表１に示す像ぶれ補正サブレンズ群の移動量は、ズームレンズ系の光軸が０．３°傾いた時の像偏心量と等しい。
【０１２８】
（像ぶれ補正サブレンズ群の移動量）
【０１２９】
【表１】
2015146067.tif 000004
【０１３０】
（数値実施例１）
数値実施例１のズームレンズ系は、実施の形態１（図１）に対応する。ズームレンズ系の面データを表２に、非球面データを表３に、レンズ系の各種データを表４に、単レンズデータを表５に、ズームレンズ群データを表６に、ズームレンズ群倍率を表７に示す。
【０１３１】
（面データ）
【０１３２】
【表２】
2015146067.tif 000005
【０１３３】
（非球面データ）
【０１３４】
【表３】
2015146067.tif 000006
【０１３５】
（レンズ系の各種データ）
【０１３６】
【表４】
2015146067.tif 000007
【０１３７】
（単レンズデータ）
【０１３８】
【表５】
2015146067.tif 000008
【０１３９】
（ズームレンズ群データ）
【０１４０】
【表６】
2015146067.tif 000009
【０１４１】
（ズームレンズ群倍率）
【０１４２】
【表７】
2015146067.tif 000010
【０１４３】
（数値実施例２）
数値実施例２のズームレンズ系は、実施の形態２（図４）に対応する。
【０１４４】
ズームレンズ系の面データを表８に、非球面データを表９に、レンズ系の各種データを表１０に、単レンズデータを表１１に、ズームレンズ群データを表１２に、ズームレンズ群倍率を表１３に示す。
【０１４５】
（面データ）
【０１４６】
【表８】
2015146067.tif 000011
【０１４７】
（非球面データ）
【０１４８】
【表９】
2015146067.tif 000012
【０１４９】
（レンズ系の各種データ）
【０１５０】
【表１０】
2015146067.tif 000013
【０１５１】
（単レンズデータ）
【０１５２】
【表１１】
2015146067.tif 000014
【０１５３】
（ズームレンズ群データ）
【０１５４】
【表１２】
2015146067.tif 000015
【０１５５】
（ズームレンズ群倍率）
【０１５６】
【表１３】
2015146067.tif 000016
【０１５７】
（数値実施例３）
数値実施例３のズームレンズ系は、実施の形態３（図７）に対応する。
【０１５８】
ズームレンズ系の面データを表１４に、非球面データを表１５に、レンズ系の各種データを表１６に、単レンズデータを表１７に、ズームレンズ群データを表１８に、ズームレンズ群倍率を表１９に示す。
【０１５９】
（面データ）
【０１６０】
【表１４】
2015146067.tif 000017
【０１６１】
（非球面データ）
【０１６２】
【表１５】
2015146067.tif 000018
【０１６３】
（レンズ系の各種データ）
【０１６４】
【表１６】
2015146067.tif 000019
【０１６５】
（単レンズデータ）
【０１６６】
【表１７】
2015146067.tif 000020
【０１６７】
（ズームレンズ群データ）
【０１６８】
【表１８】
2015146067.tif 000021
【０１６９】
（ズームレンズ群倍率）
【０１７０】
【表１９】
2015146067.tif 000022
【０１７１】
（数値実施例４）
数値実施例４のズームレンズ系は、実施の形態４（図１０）に対応する。
【０１７２】
ズームレンズ系の面データを表２０に、非球面データを表２１に、各種データを表２２に、単レンズデータを表２３に、ズームレンズ群データを表２４に、ズームレンズ群倍率を表２５に示す。
【０１７３】
（面データ）
【０１７４】
【表２０】
2015146067.tif 000023
【０１７５】
（非球面データ）
【０１７６】
【表２１】
2015146067.tif 000024
【０１７７】
（レンズ系の各種データ）
【０１７８】
【表２２】
2015146067.tif 000025
【０１７９】
（単レンズデータ）
【０１８０】
【表２３】
2015146067.tif 000026
【０１８１】
（ズームレンズ群データ）
【０１８２】
【表２４】
2015146067.tif 000027
【０１８３】
（ズームレンズ群倍率）
【０１８４】
【表２５】
2015146067.tif 000028
【０１８５】
（数値実施例５）
数値実施例５のズームレンズ系は、実施の形態５（図１３）に対応する。
【０１８６】
ズームレンズ系の面データを表２６に、非球面データを表２７に、レンズ系の各種データを表２８に、単レンズデータを表２９に、ズームレンズ群データを表３０に、ズームレンズ群倍率を表３１に示す。
【０１８７】
（面データ）
【０１８８】
【表２６】
2015146067.tif 000029
【０１８９】
（非球面データ）
【０１９０】
【表２７】
2015146067.tif 000030
【０１９１】
（レンズ系の各種データ）
【０１９２】
【表２８】
2015146067.tif 000031
【０１９３】
（単レンズデータ）
【０１９４】
【表２９】
2015146067.tif 000032
【０１９５】
（ズームレンズ群データ）
【０１９６】
【表３０】
2015146067.tif 000033
【０１９７】
（ズームレンズ群倍率）
【０１９８】
【表３１】
2015146067.tif 000034
【０１９９】
（数値実施例６）
数値実施例６のズームレンズ系は、実施の形態６（図１６）に対応する。
【０２００】
ズームレンズ系の面データをに、非球面データをに、レンズ系の各種データをに、単レンズデータをに、ズームレンズ群データをに、ズームレンズ群倍率をに示す。
【０２０１】
（面データ）
【０２０２】
【表３２】
2015146067.tif 000035
【０２０３】
（非球面データ）
【０２０４】
【表３３】
2015146067.tif 000036
【０２０５】
（レンズ系の各種データ）
【０２０６】
【表３４】
2015146067.tif 000037
【０２０７】
（単レンズデータ）
【０２０８】
【表３５】
2015146067.tif 000038
【０２０９】
（ズームレンズ群データ）
【０２１０】
【表３６】
2015146067.tif 000039
【０２１１】
（ズームレンズ群倍率）
【０２１２】
【表３７】
2015146067.tif 000040
【０２１３】
以下の表３８に、各数値実施例に係るズームレンズ系について求めた各条件式の対応値を示す。
【０２１４】
（条件式の対応値）
【０２１５】
【表３８】
2015146067.tif 000041
【産業上の利用可能性】
【０２１６】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０２１７】
１００  カメラシステム
１０１  カメラ本体
１０２  撮像素子
１０４  カメラマウント部
２０１  交換レンズ装置
２０２  ズームレンズ系
２０４  レンズマウント部
【図１】
2015146067.tif 000042
【図２】
2015146067.tif 000043
【図３】
2015146067.tif 000044
【図４】
2015146067.tif 000045
【図５】
2015146067.tif 000046
【図６】
2015146067.tif 000047
【図７】
2015146067.tif 000048
【図８】
2015146067.tif 000049
【図９】
2015146067.tif 000050
【図１０】
2015146067.tif 000051
【図１１】
2015146067.tif 000052
【図１２】
2015146067.tif 000053
【図１３】
2015146067.tif 000054
【図１４】
2015146067.tif 000055
【図１５】
2015146067.tif 000056
【図１６】
2015146067.tif 000057
【図１７】
2015146067.tif 000058
【図１８】
2015146067.tif 000059
【図１９】
2015146067.tif 000060
【手続補正書】
【提出日】平成28年6月7日(2016.6.7)
【手続補正１】
【補正対象書類名】明細書
【補正対象項目名】全文
【補正方法】変更
【補正の内容】
【発明の詳細な説明】
【技術分野】
【０００１】
本開示は、コンパクトで結像性能に優れたズームレンズ系、該ズームレンズ系を含む交換レンズ装置及びカメラシステムに関する。
【背景技術】
【０００２】
特許文献１に開示のレンズ系は、正負正負正の５群構成で、像のぶれを光学的に補正するために光軸に対して垂直方向に移動する、第２レンズ群の一部又は第３レンズ群の一部である像ぶれ補正レンズ群を備えている。また、撮像時の広角端から望遠端へのズーミングの際に、第１レンズ群と第２レンズ群とがそれぞれ像面に対して移動する特徴を有したズームレンズ系を開示している。
【０００３】
特許文献２に開示のレンズ系は、正負正正正を有する構成で、広角端状態から望遠端状態へのズーミングに際して、第１レンズ群と第２レンズ群との間隔が増大し、第２レンズ群と第３レンズ群との間隔が減少し、第３レンズ群と第４レンズ群との間隔が減少し、第４レンズ群と第５レンズ群との間隔が増大し、第３レンズ群と第４レンズ群とは物体側へ移動する。また、第４レンズ群は、物体側から順に、第１正レンズと第１負レンズとからなる第１接合レンズと、第２負レンズと第２正レンズとからなる第２接合レンズを有するズームレンズ系を開示している。
【０００４】
特許文献３は、正負正負正負のパワーを有するレンズ群を含み、上記第４レンズ群ＧＲ４が光軸方向に移動することによってフォーカシングを行うことを特徴としたズームレンズ系を開示している。
【先行技術文献】
【特許文献】
【０００５】
【特許文献１】特開２０１２−２１２１０６号公報
【特許文献２】特開２００５−１０７２７３号公報
【特許文献３】特開２００６−２５１４６２号公報
【発明の概要】
【０００６】
本開示の目的は、小型でありながら結像性能に優れたズームレンズ系、該ズームレンズ系を含む交換レンズ装置及びカメラシステムを提供することである。
【０００７】
本開示は、物体側から像側へと順に、正のパワーを有する第１レンズ群と、４枚以上のレンズ素子からなる負のパワーを有する第２レンズ群と、第３レンズ群を含み、少なくとも４つのレンズ群で構成された後続群とからなり、広角端から望遠端へのズーミング時に第１レンズ群、第２レンズ群及び後続レンズ群のうち最も像側に位置する最像側レンズ群が物体側に移動し、第３群よりも像側にフォーカスレンズ群を有し、後続群には少なくとも２つ以上の正レンズ群を有し、０．１ ＜ α２ｆ／Ｗｆ ＜ ４．０、２．７ ＜ Ｇ１ｆ／Ｗｆ ＜ １４．０、２．０ ＜ ｜Ｇ１ｆ／Ｇ２ｆ｜ ＜ ８．０の条件を満足する（ここで、Ｗｆ：広角端における全系の焦点距離、α２ｆ：後続レンズ群に含まれる正レンズ群のうち２番目にパワーの強いレンズ群の焦点距離、Ｇ１ｆ：第１レンズ群の焦点距離、Ｇ２ｆ：第２レンズ群の焦点距離）ズームレンズ系である。
【０００８】
また、本開示は、上記のズームレンズ系と、ズームレンズ系が形成する光学像を受光して電気的な画像信号に変換する撮像センサとを含むカメラ本体と接続可能なレンズマウント部とを備える、交換レンズ装置である。
【０００９】
また、本開示は、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備えるカメラシステムである。
【００１０】
本開示を実施することにより、小型でありながら結像性能に優れたズームレンズ系、該ズームレンズ系を含む交換レンズ装置及びカメラシステムを実現できる。
【図面の簡単な説明】
【００１１】
【図１】図１は、実施の形態１（数値実施例１）に係るズームレンズ系の無限遠合焦状態を示すレンズ配置図である。
【図２】図２は、実施例１に係るズームレンズ系の無限遠合焦状態の縦収差図である。
【図３】図３は、実施例１に係るズームレンズ系の望遠端における、像ぶれ補正を行っていない基本状態及び像ぶれ補正状態での横収差図である。
【図４】図４は、実施の形態２（数値実施例２）に係るズームレンズ系の無限遠合焦状態を示すレンズ配置図である。
【図５】図５は、実施例２に係るズームレンズ系の無限遠合焦状態の縦収差図である。
【図６】図６は、実施例２に係るズームレンズ系の望遠端における、像ぶれ補正を行っていない基本状態及び像ぶれ補正状態での横収差図である。
【図７】図７は、実施の形態３（数値実施例３）に係るズームレンズ系の無限遠合焦状態を示すレンズ配置図である。
【図８】図８は、実施例３に係るズームレンズ系の無限遠合焦状態の縦収差図である。
【図９】図９は、実施例３に係るズームレンズ系の望遠端における、像ぶれ補正を行っていない基本状態及び像ぶれ補正状態での横収差図である。
【図１０】図１０は、実施の形態４（数値実施例４）に係るズームレンズ系の無限遠合焦状態を示すレンズ配置図である。
【図１１】図１１は、実施例４に係るズームレンズ系の無限遠合焦状態の縦収差図である。
【図１２】図１２は、実施例４に係るズームレンズ系の望遠端における、像ぶれ補正を行っていない基本状態及び像ぶれ補正状態での横収差図である。
【図１３】図１３は、実施の形態５（数値実施例５）に係るズームレンズ系の無限遠合焦状態を示すレンズ配置図である。
【図１４】図１４は、実施例５に係るズームレンズ系の無限遠合焦状態の縦収差図である。
【図１５】図１５は、実施例５に係るズームレンズ系の望遠端における、像ぶれ補正を行っていない基本状態及び像ぶれ補正状態での横収差図である。
【図１６】図１６は、実施の形態６（数値実施例６）に係るズームレンズ系の無限遠合焦状態を示すレンズ配置図である。
【図１７】図１７は、実施例６に係るズームレンズ系の無限遠合焦状態の縦収差図である。
【図１８】図１８は、実施例６に係るズームレンズ系の望遠端における、像ぶれ補正を行っていない基本状態及び像ぶれ補正状態での横収差図である。
【図１９】図１９は、実施の形態７に係るカメラシステムの概略構成図である。
【発明を実施するための形態】
【００１２】
図１、４、７、１０、１３、１６は、それぞれ、実施の形態１、２、３、４、５、６に係るズームレンズ系のレンズ配置図であり、いずれも無限遠合焦状態にあるズームレンズ系を表している。（ａ）図は広角端（最短焦点距離状態：焦点距離ｆＷ）のレンズ構成、（ｂ）図は、中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１３】
また、図１、４、７、１０、１３、１６において、特定の面に付されたアスタリスク＊は、外面が非球面であることを示している。各レンズ群の符号に付された記号（＋）及び記号（−）は、各レンズ群のパワーの符号に対応する。更に、最も右側に記載された直線は、像面Ｓの位置を表す。更に、第３レンズ群Ｇ３内には開口絞りＡが設けられている。
【００１４】
実施の形態１〜６に係るズームレンズ系は、物体側から像側へと順に、正のパワーを有する第１レンズ群と、負のパワーを有する第２レンズ群と、少なくとも３つのレンズ群で構成された後続群を備える。
【００１５】
実施の形態１〜６に係るズームレンズ系は、光学系が振動した際の像ぶれを補正するために光軸と垂直方向に移動する、１枚のレンズ素子または複数枚のレンズ素子によって構成された像ぶれ補正レンズ群を有する。さらに、無限遠合焦状態から近接合焦状態へのフォーカシングに際して、光軸に沿って移動する、１枚のレンズ素子または複数枚のレンズ素子によって構成されたフォーカスレンズ群を有する。
【００１６】
（実施の形態１）
第１レンズ群Ｇ１は、物体側に凸面を向けた正メニスカス形状の第１レンズ素子Ｌ１からなる。
【００１７】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５からなる。第３レンズ素子Ｌ３の物体側と像側の面は非球面である。
【００１８】
第３レンズ群Ｇ３は、物体側から像側へと順に、開口絞りＡと両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８と、両凸形状の第９レンズ素子Ｌ９と、両凹形状の第１０レンズ素子Ｌ１０からなる。第７レンズ素子Ｌ７と第８レンズ素子Ｌ８は互いに接合されている。また、第７レンズ素子Ｌ７の物体側面及び第１０レンズ素子Ｌ１０の物体側と像側の面は非球面である。
【００１９】
第４レンズ群Ｇ４は、物体側から像側へと順に、両凸形状の第１１レンズ素子Ｌ１１と、物体側に凸面を向けた負メニスカス形状の第１２レンズ素子Ｌ１２からなる。第１２レンズ素子Ｌ１２の物体側と像側の面は非球面である。
【００２０】
第５レンズ群Ｇ５は、物体側に凸面を向けた負メニスカス形状の第１３レンズ素子Ｌ１３からなる。
【００２１】
第６レンズ群Ｇ６は、物体側から像側へと順に、両凹形状の第１４レンズ素子Ｌ１４と、物体側に凸面を向けた正メニスカス形状の第１５レンズ素子Ｌ１５からなる。第１４レンズ素子Ｌ１４と第１５レンズ素子Ｌ１５は互いに接合されている。
【００２２】
各レンズ群はズーミング時に広角端から望遠端にかけて、第１レンズ群Ｇ１群と第２レンズ群Ｇ２の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は広がるように移動する。
【００２３】
また、無限遠合焦状態から近接合焦状態へのフォーカシングに際して、第５レンズ群Ｇ５が光軸に沿って像側へ移動する。さらに、レンズ系が振動した際の像ぶれを補正するために、第３レンズ群Ｇ３の一部である第１０レンズ素子Ｌ１０が像ぶれ補正レンズ群として光軸と垂直方向に移動する。
【００２４】
（実施の形態２）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２からなる。第１レンズ素子Ｌ１と第２レンズ素子Ｌ２は互いに接合されている。
【００２５】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６からなる。第４レンズ素子Ｌ４の物体側と像側の面は非球面である。
【００２６】
第３レンズ群Ｇ３は、物体側から像側へと順に、開口絞りＡと、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、両凹形状の第１１レンズ素子Ｌ１１からなる。第８レンズ素子Ｌ８と第９レンズ素子Ｌ９は互いに接合されており、また、第８レンズ素子Ｌ８の物体側の面及び第１１レンズ素子Ｌ１１の物体側と像側の面は非球面である。
【００２７】
第４レンズ群Ｇ４は、物体側から像側へと順に、両凸形状の第１２レンズ素子Ｌ１２と、物体側に凸面を向けた負メニスカス形状の第１３レンズ素子Ｌ１３からなる。第１３レンズ素子Ｌ１３の物体側と像側の面は非球面である。
【００２８】
第５レンズ群Ｇ５は、物体側に凸面を向けた負メニスカス形状の第１４レンズ素子Ｌ１４からなる。
【００２９】
第６レンズ群Ｇ６は、物体側から像側へと順に、両凹形状の第１５レンズ素子Ｌ１５と、物体側に凸面を向けた正メニスカス形状の第１６レンズ素子Ｌ１６からなる。第１５レンズ素子Ｌ１５と第１６レンズ素子Ｌ１６は互いに接合されている。
【００３０】
各レンズ群はズーミング時に広角端から望遠端にかけて、第１レンズ群Ｇ１群と第２レンズ群Ｇ２の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は広がるように移動する。
【００３１】
また、無限遠合焦状態から近接合焦状態へのフォーカシングに際して、第５レンズ群Ｇ５が光軸に沿って像側へ移動する。さらに、光学系が振動した際の像ぶれを補正するために、第３レンズ群Ｇ３の一部である第１１レンズ素子Ｌ１１が像ぶれ補正レンズ群として光軸と垂直方向に移動する。
【００３２】
（実施の形態３）
第１レンズ群Ｇ１は、物体側に凸面を向けた正メニスカス形状の第１レンズ素子Ｌ１からなる。
【００３３】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、両凸形状の第５レンズ素子Ｌ５と、像側に凸面を向けた負メニスカス形状の第６レンズ素子Ｌ６からなる。第３レンズ素子Ｌ３の物体側と像側の面は非球面である。
【００３４】
第３レンズ群Ｇ３は、物体側から像側へと順に、開口絞りＡと両凸形状の第７レンズ素子Ｌ７と像側に凸面を向けた負メニスカス形状の第８レンズ素子Ｌ８と、両凸形状の第９レンズ素子Ｌ９と、両凹形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２からなる。第９レンズ素子Ｌ９と第１０レンズ素子Ｌ１０は互いに接合されている。第１１レンズ素子Ｌ１１と第１２レンズ素子Ｌ１２は互いに接合されている。また、第８レンズ素子Ｌ８の物体側と像側の面及び第９レンズ素子Ｌ９の物体側の面は非球面である。
【００３５】
第４レンズ群Ｇ４は、物体側に凸面を向けた負メニスカス形状の第１３レンズ素子Ｌ１３からなっている。
【００３６】
第５レンズ群Ｇ５は、両凸形状の第１４レンズ素子Ｌ１４からなる。第１４レンズ素子Ｌ１４の物体側と像側の面は非球面である。
【００３７】
第６レンズ群Ｇ６は、物体側に凸面を向けた負メニスカス形状の第１５レンズ素子Ｌ１５からなっている。
【００３８】
第７レンズ群Ｇ７は、物体側から像側へと順に、両凹形状の第１６レンズ素子Ｌ１６と、物体側に凸面を向けた正メニスカス形状の第１７レンズ素子Ｌ１７からなる。第１６レンズ素子Ｌ１６と第１７レンズ素子Ｌ１７は互いに接合されている。第１６レンズ素子Ｌ１６の物体側の面は非球面である。
【００３９】
各レンズ群はズーミング時に広角端から望遠端にかけて、第１レンズ群Ｇ１群と第２レンズ群Ｇ２の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は広くなり、第５レンズ群Ｇ５と第６レンズ群Ｇ６の間隔は狭くなり、第６レンズ群Ｇ６と第７レンズ群Ｇ７は広がるように移動する。
【００４０】
また、無限遠合焦状態から近接合焦状態へのフォーカシングに際して、第４レンズ群Ｇ４と第６レンズ群Ｇ６が光軸に沿って移動する。さらに、光学系が振動した際の像ぶれを補正するために、第３レンズ群Ｇ３の一部である第８レンズ素子Ｌ８が像ぶれ補正レンズ群として光軸と垂直方向に移動する。
【００４１】
（実施の形態４）
第１レンズ群Ｇ１は、物体側に凸面を向けた正メニスカス形状の第１レンズ素子Ｌ１からなる。
【００４２】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５からなる。第２レンズ素子Ｌ２の物体側の面は非球面である。
【００４３】
第３レンズ群Ｇ３は、物体側から像側へと順に、両凸形状の第６レンズ素子Ｌ６と、開口絞りＡと、物体側に凸面を向けた正メニスカス形状の第７レンズ素子Ｌ７と、物体側に凸面を向けた負メニスカス形状の第８レンズ素子Ｌ８と、両凸形状の第９レンズ素子Ｌ９と、両凹形状の第１０レンズ素子Ｌ１０からなる。第７レンズ素子Ｌ７と第８レンズ素子Ｌ８は互いに接合されている。また、第７レンズ素子Ｌ７の物体側の面及び第１０レンズ素子Ｌ１０の物体側及び像側の面は非球面である。
【００４４】
第４レンズ群Ｇ４は、物体側から像側へと順に、両凸形状の第１１レンズ素子Ｌ１１と、物体側に凸面を向けた負メニスカス形状の第１２レンズ素子Ｌ１２からなる。第１２レンズ素子Ｌ１２の物体側と像側の面は非球面である。
【００４５】
第５レンズ群Ｇ５は、物体側から像側へと順に、物体側に凸面を向けた負メニスカス形状の第１３レンズ素子Ｌ１３と、物体側に凸面を向けた負メニスカス形状の第１４レンズ素子Ｌ１４からなる。第１３レンズ素子Ｌ１３と第１４レンズ素子Ｌ１４は互いに接合されている。
【００４６】
第６レンズ群Ｇ６は、物体側から像側へと順に、物体側に凸面を向けた負のメニスカス形状の第１５レンズ素子Ｌ１５と、物体側に凸面を向けた正メニスカス形状の第１６レンズ素子Ｌ１６からなる。第１５レンズ素子Ｌ１５と第１６レンズ素子Ｌ１６は互いに接合されている。
【００４７】
各レンズ群はズーミング時に広角端から望遠端にかけて、第１レンズ群Ｇ１群と第２レンズ群Ｇ２の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は広がるように移動する。
【００４８】
また、無限遠合焦状態から近接合焦状態へのフォーカシングに際して、第５レンズ群Ｇ５が光軸に沿って像側へ移動する。さらに、光学系が振動した際の像ぶれを補正するために、第３レンズ群Ｇ３の一部である第１０レンズ素子Ｌ１０が像ぶれ補正レンズ群として光軸と垂直方向に移動する。
【００４９】
（実施の形態５）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２からなる。第１レンズ素子Ｌ１と第２レンズ素子Ｌ２は互いに接合されている。
【００５０】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、両凸形状の第６レンズ素子Ｌ６と、像側に凸面を向けた負メニスカス形状の第７レンズ素子Ｌ７からなる。第４レンズ素子Ｌ４の物体側と像側の面は非球面である。
【００５１】
第３レンズ群Ｇ３は、物体側から像側へと順に、開口絞りＡと、両凸形状の第８レンズ素子Ｌ８と、像側に凸面を向けた負メニスカス形状の第９レンズ素子Ｌ９と、両凸形状の第１０レンズ素子Ｌ１０と、両凹形状の第１１レンズ素子Ｌ１１からなる。第１０レンズ素子Ｌ１０と第１１レンズ素子Ｌ１１は互いに接合されている。また、第１０レンズ素子Ｌ１０の物体側の面は非球面である。
【００５２】
第４レンズ群Ｇ４は、物体側から像側へと順に、物体側に凸面を向けた負メニスカス形状の第１２レンズ素子Ｌ１２と、物体側に凸面を向けた正メニスカス形状の第１３レンズ素子Ｌ１３と、両凸形状の第１４レンズ素子Ｌ１４と、両凸形状の第１５レンズ素子Ｌ１５からなる。第１２レンズ素子Ｌ１２と第１３レンズ素子Ｌ１３は互いに接合されている。また、第１４レンズ素子Ｌ１４の物体側と像側の面と、第１５レンズ素子Ｌ１５の物体側と像側の面は非球面である。
【００５３】
第５レンズ群Ｇ５は、物体側に凸面を向けた負メニスカス形状の第１６レンズ素子Ｌ１６からなる。
【００５４】
第６レンズ群Ｇ６は、物体側から像側へと順に、両凹形状の第１７レンズ素子Ｌ１７と、両凸形状の第１８レンズ素子Ｌ１８からなる。第１７レンズ素子Ｌ１７と第１８レンズ素子Ｌ１８は互いに接合されている。
【００５５】
各レンズ群はズーミング時に広角端から望遠端にかけて、第１レンズ群Ｇ１群と第２レンズ群Ｇ２の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は狭くなるように移動する。
【００５６】
また、無限遠合焦状態から近接合焦状態へのフォーカシングに際して、第５レンズ群Ｇ５が光軸に沿って移動する。さらに、光学系が振動した際の像ぶれを補正するために、第４レンズ群Ｇ４の一部である第１４レンズ素子Ｌ１４が像ぶれ補正レンズ群として光軸と垂直方向に移動する。
【００５７】
（実施の形態６）
第１レンズ群Ｇ１は、物体側に凸面を向けた正メニスカス形状の第１レンズ素子Ｌ１からなる。
【００５８】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４と、両凸形状の第５レンズ素子Ｌ５と、両凸形状の第６レンズ素子Ｌ６と、像側に凸面を向けた負メニスカス形状の第７レンズ素子Ｌ７からなる。第４レンズ素子Ｌ４と第５レンズ素子Ｌ５は互いに接合されている。また、第３レンズ素子Ｌ３の物体側と像側の面は非球面である。
【００５９】
第３レンズ群Ｇ３は、物体側から像側へと順に、開口絞りＡと、両凸形状の第８レンズ素子Ｌ８からなる。
【００６０】
第４レンズ群Ｇ４は、物体側から像側へと順に、両凹形状の第９レンズ素子Ｌ９と、両凸形状の第１０レンズ素子Ｌ１０と、両凹形状の第１１レンズ素子Ｌ１１と、物体側に凸面を向けた負メニスカス形状の第１２レンズ素子Ｌ１２と、物体側に凸面を向けた正メニスカス形状の第１３レンズ素子Ｌ１３と、両凸形状の第１４レンズ素子Ｌ１４と、両凸形状の第１５レンズ素子Ｌ１５からなる。第１０レンズ素子Ｌ１０と第１１レンズ素子Ｌ１１とが互いに接合されているとともに、第１２レンズ素子Ｌ１２と第１３レンズ素子Ｌ１３とが互いに接合されている。また、第１０レンズ素子Ｌ１０の物体側の面及び第１４レンズ素子Ｌ１４の物体側と像側の面、第１５レンズ素子Ｌ１５の物体側と像側の面は非球面である。
【００６１】
第５レンズ群Ｇ５は、物体側に凸面を向けた負メニスカス形状の第１６レンズ素子Ｌ１６からなる。
【００６２】
第６レンズ群Ｇ６は、物体側から像側へと順に、両凹形状の第１７レンズ素子Ｌ１７と、両凸形状の第１８レンズ素子Ｌ１８からなる。第１７レンズ素子Ｌ１７と第１８レンズ素子Ｌ１８とは互いに接合されている。
【００６３】
各レンズ群はズーミング時に広角端から望遠端にかけて、第１レンズ群Ｇ１群と第２レンズ群Ｇ２の間隔は広がり、第２レンズ群Ｇ２と第３レンズ群Ｇ３の間隔は狭くなり、第３レンズ群Ｇ３と第４レンズ群Ｇ４の間隔は狭くなり、第４レンズ群Ｇ４と第５レンズ群Ｇ５の間隔は狭くなり、第５レンズ群Ｇ５と第６レンズ群Ｇ６の間隔は狭くなるように移動する。
【００６４】
また、無限遠合焦状態から近接合焦状態へのフォーカシングに際して、第５レンズ群Ｇ５が光軸に沿って移動する。さらに、光学系が振動した際の像ぶれを補正するために、第４レンズ群Ｇ４の一部である第１４レンズ素子Ｌ１４が像ぶれ補正レンズ群として光軸と垂直方向に移動する。
【００６５】
実施の形態１〜６では、広角端から望遠端へのズーミングに際して、第１レンズ群Ｇ１と第２レンズ群Ｇ２との間隔が広角端より望遠端で長く、第２レンズ群Ｇ２と第３レンズ群Ｇ３との間隔が広角端より望遠端で短くなるように、各レンズ群が光軸に沿って物体側に移動し、開口絞りＡは第３レンズ群Ｇ３と共に光軸に沿って移動する。
【００６６】
実施の形態１〜６に係るズームレンズ系のように、広角端から望遠端へのズーミング時には第１レンズ群Ｇ１が光軸に沿って移動することが好ましい。
【００６７】
第１レンズ群Ｇ１を可動群とすることにより、後続するレンズ群の光線高を小さくすることができる。これより後続するレンズ群の小径化を実現できる。さらには、インナーフォーカス方式を採用する光学系において、フォーカスレンズ群の小径化と軽量化を可能にする。
【００６８】
また、広角端から望遠端へのズーミング時に、第２レンズ群Ｇ２が光軸に沿って移動することが好ましい。広角端から望遠端へのズーミング時に第２レンズ群Ｇ２を像面に対して移動させることで、ズーム全域で像面湾曲を補正でき、結像性能を向上することができる。
【００６９】
また、広角端から望遠端へのズーミング時に、第３レンズ群Ｇ３が光軸に沿って移動することが好ましい。第３レンズ群Ｇ３をズームレンズ群として変倍に寄与させることで、ズームレンズ系の小型化を図りつつ、結像性能を向上することができる。
【００７０】
また、広角端から望遠端へのズーミング時に、第２レンズ群Ｇ２よりも像側にある後続レンズ群が光軸に沿って移動することが好ましい。この後続レンズ群を像面に対して可動群とすることにより、ズームレンズ系の小型化を図りつつ、ズーム倍率を確保しながら結像性能を向上させことができる。
【００７１】
また、広角端から望遠端へのズーミング時に、後続レンズ群のうち最も像側に位置する最像側レンズ群が光軸に沿って移動することが好ましい。この最像側レンズ群を像面に対して可動群とすることにより、ズームレンズ系の小型化を図りつつ、ズーム倍率を確保しながら結像性能を向上させことができる。
【００７２】
実施の形態１〜６に係るズームレンズ系では、無限遠合焦状態から近接合焦状態へのフォーカシングに際して、２枚以下のレンズ素子で構成されたフォーカスレンズ群が光軸に沿って移動する。フォーカスレンズ群を２枚以下のレンズ素子で構成することにより、フォーカスレンズ群の重量を軽量化することができる。
【００７３】
さらにフォーカスレンズ群は、単レンズ素子で構成されていることが望ましい。この場合、軽量なフォーカスレンズ群でフォーカシングの高速化が実現できる。
【００７４】
実施の形態３に係るズームレンズ系では、無限遠合焦状態から近接合焦状態へのフォーカシングに際して、２つのフォーカスレンズ群が光軸に沿って移動する。２つ以上のレンズ群をフォーカスレンズ群として移動させることにより、近接合焦状態での光学性能を良好に保つことが可能となる。
【００７５】
実施の形態１〜６に係るズームレンズ系では、光学系が振動した際の像ぶれを補正するために、開口絞りＡよりも像側に配置されたレンズ群、またはレンズ群の一部のレンズ素子を光軸と垂直方向に移動させる。像ぶれ補正を開口絞りＡより像側の像ぶれ補正レンズ群で行うことにより、像ぶれ補正レンズ群のレンズ径を小型化できる。また、像ぶれ補正レンズ群を単レンズで構成すると、像ぶれ補正機構の構成を簡略化でき鏡筒の小型化に寄与する。
【００７６】
さらには、像ぶれ補正レンズ群よりも像側に一つ以上の正のパワーを有する後続群を配置することで、像ぶれ補正時の光学性能を良好に保つことができる。
【００７７】
また、各実施の形態に係るズームレンズ系では、第１レンズ群Ｇ１は、正のパワーを有するレンズ素子を含む２枚以下のレンズ素子により構成されている。第１レンズ群Ｇ１のレンズ素子を２枚以下で構成することにより、光学系の全長の短縮が可能となる。
【００７８】
さらには、第１レンズ群Ｇ１を正のパワーを有するレンズ素子１枚で構成することで、光学全長の短縮効果をより一層高めることが可能となる。
【００７９】
実施の形態１から６に係るズームレンズ系のように、第２レンズ群Ｇ２は４枚以上のレンズ素子で構成されている。第２群を４枚以上のレンズ素子で構成することで、望遠端における球面収差を良好に補正することができる。さらに、望遠端で大口径を確保するためには、開口絞りＡを広角端よりも望遠端側で広く開ける必要があるが、その結果として望遠端の球面収差が多く発生し光学性能に悪い影響を及ぼす。しかし、第２レンズ群Ｇ２は４枚以上のレンズ素子を配置することによって、望遠端で発生する球面収差を十分に補正することが可能となる。
【００８０】
また、第２レンズ群Ｇ２は、物体側から像側へと順に負のパワーを有するレンズ素子２枚と正のパワーを有するレンズ素子１枚を含む構成となっているが、これはズーム全域での像面湾曲を補正し光学性能を向上させる効果を持つ。
【００８１】
開口絞りＡを有する第３レンズ群Ｇ３は、両凸形状のレンズ素子を少なくとも１枚以上含む構成となっている。これにより、軸上光束が広がる開口絞りＡ付近にて球面収差を効果的に補正することができる。
【００８２】
さらに、実施の形態１から６に係るズームレンズ系の最も像側の最像側レンズ素子は、正のパワーを有することで、撮像面に配置された撮像素子に入射する光線の入射角度を緩くすることが可能となり、結像性能が向上する。また、最物体側レンズ素子は、物体側に凸面を有することが望ましい。これにより、撮像素子に入射する光線の入射角を浅くでき、歪曲収差の発生を抑えることができる。
【００８３】
以下、例えば実施の形態１から６に係るズームレンズ系のごときズームレンズ系が満足することが好ましい条件を説明する。なお、実施の形態１から６に係るズームレンズ系に対して、複数の好ましい条件が規定されるが、これら複数の条件全てを満足するズームレンズ系の構成が最も望ましい。しかしながら、個別の条件を満足することにより、それぞれ対応する効果を奏するズームレンズ系を得ることも可能である。
【００８４】
実施の形態１から６に係るズームレンズ系は、以下の条件（１）を満足することが好ましい。
【００８５】
０．１ ＜ α２ｆ／Ｗｆ ＜ ４．０  ・・・（１）
ここで、
Ｗｆ：広角端焦点距離
α２ｆ：α２の焦点距離
である。
【００８６】
条件（１）は、後続レンズ群に含まれる正レンズ群のうち、２番目にレンズパワーの強い正レンズ群の焦点距離を規定する。実施の形態１から６に係るズームレンズ系において条件（１）が満たされる場合、光学性能を良好に保ちながら、光学全長の短縮化が可能となる。
【００８７】
条件（１）の上限を超えると、後続レンズ群を構成する正レンズ群のレンズパワーが弱くなり、その結果として光学全長が大きくなるため、小型化を目指す上で好ましくない。
【００８８】
一方、条件（１）の下限を下回ると、光学系全体の中で後続レンズ群を構成する正レンズ群のレンズパワーが強くなり諸収差を補正できず、高い光学性能を維持することが困難となる。
【００８９】
上記条件（１）に加えて、実施の形態１から６に係るズームレンズ系が、以下の条件（１）’及び（１）’’の少なくとも一方を満足する場合、上述の効果が更に顕著に発揮される。
【００９０】
０．５ ＜ α２ｆ／Ｗｆ  ・・・（１）’
α２ｆ／Ｗｆ ＜ ３．５  ・・・（１）’’
条件（１）’、（１）’’に加えて、実施の形態１〜６に係るズームレンズ系が、以下の条件（１）’’’及び（１）’’’’の少なくとも一方を満足する場合、上述の有利な効果が更に顕著に発揮される。
【００９１】
１．０ ＜ α２ｆ／Ｗｆ  ・・・（１）’’’
α２ｆ／Ｗｆ ＜ ３．０  ・・・（１）’’’’
実施の形態１から６に係るズームレンズ系は、以下の条件（２）を満足することが好ましい。
【００９２】
２．７ ＜ Ｇ１ｆ／Ｗｆ ＜ １４．０  ・・・（２）
ここで、
Ｇ１ｆ：第１群の焦点距離
である。
【００９３】
条件（２）は、第１レンズ群の焦点距離を規定している。条件（２）が満たされる場合、第１レンズ群で入射光線を収斂させて第２レンズ群に入射させる際、第２レンズ群の有効径を小さくでき、全系の小型化が可能となる。条件式（２）の上限値を越えると、第１レンズ群のレンズパワーが弱くなり、第２レンズ群に入射する収斂度合いが少なくなり、第２レンズ群の有効径が大きくなり小型化が困難となる。一方、条件式（２）の下限を下回ると、第１レンズ群で発生する収差を２枚以下のレンズ素子で良好に補正することが困難となり、第１レンズ群を構成するレンズ素子を増やすことになる。その結果として、光学全長が長くなるため小型化には向かない。
【００９４】
上記条件（２）に加えて、実施の形態１から６に係るズームレンズ系が、以下の条件（２）’及び（２）’’の少なくとも一方を満足する場合、上述の効果が更に発揮される。
【００９５】
３．０ ＜ Ｇ１ｆ／Ｗｆ  ・・・（２）’
Ｇ１ｆ／Ｗｆ ＜ １０．０  ・・・（２）’’
さらに、上記条件（２）’及び（２）’’に加えて、実施の形態１から６に係るズームレンズ系が、以下の条件（２）’’’及び（２）’’’’の少なくとも一方を満足する場合、上述の効果が更に顕著に発揮される。
【００９６】
３．３ ＜ Ｇ１ｆ／Ｗｆ  ・・・（２）’’’
Ｇ１ｆ／Ｗｆ ＜ ７．０  ・・・（２）’’’’
実施の形態１から６に係るズームレンズ系は、以下の条件（３）を満足することが好ましい。
【００９７】
０．１ ＜ Ｇ１Ｄ／Ｗｆ ＜ １．０  ・・・（３）
ここで、
Ｇ１Ｄ：第１レンズ群Ｇ１の光軸上厚み
である。
【００９８】
条件式（３）は、第１レンズ群のレンズの光軸上の厚みを規定している。条件式（３）が満たされる場合、第１レンズ群を小型に維持しながら光学性能を良好に補正できる。条件式（３）の上限値を越えると、第１レンズ群が２枚以下で構成される場合には、第１レンズ群を通過する入射光の光路長が長く色収差を悪化させることになるために適切ではない。一方、条件式（３）の下限値を下回ると、適切なレンズパワーを有するレンズ素子で第１レンズ群を構成することが困難となり、第２レンズ群の有効径を拡大させ鏡筒径の大型化を伴うため好ましくない。
【００９９】
上記条件（３）に加えて、実施の形態１から６に係るズームレンズ系が、以下の条件（３）’及び（３）’’の少なくとも一方を満足する場合、上述の効果が更に顕著に発揮される。
【０１００】
０．２ ＜ Ｇ１Ｄ／Ｗｆ  ・・・（３）’
Ｇ１Ｄ／Ｗｆ ＜ ０．５  ・・・（３）’’
実施の形態１から６に係るズームレンズ系は、以下の条件（４）を満足することが好ましい。
【０１０１】
０．５ ＜ ｜Ｇ２ｆ／Ｗｆ｜ ＜ １．５  ・・・（４）
ここで、
Ｇ２ｆ：第２レンズ群Ｇ２の焦点距離
である。
【０１０２】
条件式（４）は、第２レンズ群の焦点距離を規定している。条件式（４）が満たされる場合、第１レンズ群を小型に維持しながら光学性能を良好に補正が可能となる。条件式（４）の上限値を越えると、第１レンズ群に入射する光線位置が高くなり、十分な周辺光量比を確保できない。一方、条件式（４）の下限値を下回ると、第２レンズ群のレンズパワーが強くなり収差補正が困難となる。
【０１０３】
上記条件（４）に加えて、実施の形態１から６に係るズームレンズ系が、以下の条件（４）’及び（４）’’の少なくとも一方を満足する場合、上述の効果が更に顕著に発揮される。
【０１０４】
０．８ ＜ ｜Ｇ２ｆ／Ｗｆ｜  ・・・（４）’
｜Ｇ２ｆ／Ｗｆ｜ ＜ １．２  ・・・（４）’’
実施の形態１から６に係るズームレンズ系は、以下の条件（５）を満足することが好ましい。
【０１０５】
２．０ ＜ ｜Ｇ１ｆ／Ｇ２ｆ｜ ＜ ８．０  ・・・（５）
条件式（５）は、第１レンズ群と第２レンズ群の焦点距離の比を規定している。条件式（５）が満たされる場合、第１レンズ群と第２レンズ群を小径に維持しながら、光学性能を良好な状態に保つことが可能となる。条件式（５）の上限値を越えると、第１レンズ群に入射する光線位置が高くなり、十分な周辺光量比を確保することが困難となる。一方、条件式（５）の下限値を下回ると、２枚以下のレンズ素子で構成される小型な光学系では収差補正が困難となり、良好な光学性能を維持することができないため好ましくない。
【０１０６】
上記条件（５）に加えて、実施の形態１から６に係るズームレンズ系が、以下の条件（５）’及び（５）’’の少なくとも一方を満足する場合、上述の効果が更に顕著に発揮される。
【０１０７】
３．５ ＜ ｜Ｇ１ｆ／Ｇ２ｆ｜  ・・・（５）’
｜Ｇ１ｆ／Ｇ２ｆ｜ ＜ ７．０  ・・・（５）’’
実施の形態１から６に係るズームレンズ系は、以下の条件（６）を満足することが好ましい。
【０１０８】
０．０２ ＜ Ｇ２ＬＤ／Ｗｆ ＜ １．０  ・・・（６）
ここで、
Ｇ２ＬＤ：第２レンズ群を構成するレンズ素子で最も薄いものの厚み
条件式（６）は、第２レンズ群を構成するレンズ素子の中でもっとも薄いレンズ素子の厚みを規定している。条件式（６）が満たされる場合、第２レンズ群の厚みを薄くし、コンパクトな光学系を維持しながら光学性能を良好に保つことができる。条件式（６）の上限値を越えると、特に広角端において軸外光線の倍率色収差が多く発生し、良好な光学性能を確保することが困難となる。一方、条件式（６）の下限値を下回ると、周辺画角における像面湾曲の発生が顕著となる。
【０１０９】
上記条件（６）に加えて、実施の形態１から６に係るズームレンズ系が、以下の条件（６）’及び（６）’’の少なくとも一方を満足する場合、上述の効果が更に顕著に発揮される。
【０１１０】
０．０３ ＜ Ｇ２ＬＤ／Ｗｆ  ・・・（６）’
Ｇ２ＬＤ／Ｗｆ ＜ ０．０７  ・・・（６）’’
なお、実施の形態１から６に係るズームレンズ系の各レンズ群は、入射光線を屈折により変更させる屈折型レンズ素子（つまり、異なる屈折率を有する媒質同士の界面で偏向が行われるタイプのレンズ）のみで構成しても良い。
【０１１１】
あるいは、各レンズ群は、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類または複数種類の組み合わせによって構成しても良い。
【０１１２】
（実施の形態７）
図１９は、実施の形態７に係るレンズ交換式のデジタルカメラシステムの概略構成図である。本実施の形態に係るデジタルカメラシステム１００（以下、単に「カメラシステム」という）は、カメラ本体１０１と、カメラ本体１０１に着脱自在に接続される交換レンズ装置２０１とを備える。
【０１１３】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。
【０１１４】
一方、交換レンズ装置２０１は、上記の実施の形態１〜６のいずれかに係るズームレンズ系２０２と、ズームレンズ系２０２を保持する鏡筒と、カメラ本体のカメラマウント部１０４に接続されるレンズマウント部２０４とを含む。
【０１１５】
カメラマウント部１０４及びレンズマウント部２０４は、物理的な接続のみならず、カメラ本体１０１の内部のコントローラ（図示せず）と交換レンズ装置２０１内のコントローラ（図示せず）とを電気的に接続し、相互の信号のやり取りを可能とするインターフェースとしても機能する。
【０１１６】
実施の形態７では、実施の形態１〜６のいずれかに係るズームレンズ系２０２を用いている。したがって、コンパクトで結像性能に優れた交換レンズ装置を低コストで実現することができる。また、本実施の形態に係るカメラシステム１００全体の小型化及び低コスト化も達成できる。
【０１１７】
以下、上記の実施の形態１から６に係るズームレンズ系を具体的に実施した数値実施例を説明する。後述するように、数値実施例１、２、３、４，５，６は、それぞれ実施の形態１、２、３、４，５，６に対応する。
【０１１８】
なお、各数値実施例において、各表における長さの単位はすべて「ｍｍ」であり、画角の単位はすべて「°」である。
【０１１９】
また、各数値実施例において、ｒは曲率半径、ｄは面間隔、ｎｄはｄ線に対する屈折率、ｖｄはｄ線に対するアッベ数である。
【０１２０】
また、各数値実施例において、＊印を付した面は非球面であり、非球面形状は次式で定義している。
【０１２１】
【数１】
2015146067.tif 000061
【０１２２】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１２３】
図２、５、８、１１、１４、１７は、それぞれ数値実施例１、２、３、４、５、６に係るズームレンズ系の無限遠合焦状態の縦収差図である。
【０１２４】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。
【０１２５】
非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２６】
図３、６、９、１２、１５、１８は、それぞれ数値実施例１、２、３、４、５，６に係るズームレンズ系の像ぶれ補正を行っていない基本状態及び像ぶれ補正状態での横収差図である。
【０１２７】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態にそれぞれ対応する。
【０１２８】
基本状態の各横収差図のうち、上段は最大像高の７０％の像点における横収差、中段は軸上像点における横収差、下段は最大像高の−７０％の像点における横収差に、それぞれ対応する。
【０１２９】
像ぶれ補正状態の各横収差図のうち、上段は最大像高の７０％の像点における横収差、中段は軸上像点における横収差、下段は最大像高の−７０％の像点における横収差に、それぞれ対応する。
【０１３０】
また、各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１３１】
各数値実施例のズームレンズ系の像ぶれ補正状態において、望遠端における、像ぶれ補正サブレンズ群の光軸と垂直な方向への移動量（ＹＴ（ｍｍ））は、以下の表１に示す通りである。
【０１３２】
像ぶれ補正角は、０．３°である。すなわち、以下の表１に示す像ぶれ補正サブレンズ群の移動量は、ズームレンズ系の光軸が０．３°傾いた時の像偏心量と等しい。
【０１３３】
（像ぶれ補正サブレンズ群の移動量）
【０１３４】
【表１】
2015146067.tif 000062
【０１３５】
（数値実施例１）
数値実施例１のズームレンズ系は、実施の形態１（図１）に対応する。ズームレンズ系の面データを表２に、非球面データを表３に、レンズ系の各種データを表４に、単レンズデータを表５に、ズームレンズ群データを表６に、ズームレンズ群倍率を表７に示す。
【０１３６】
（面データ）
【０１３７】
【表２】
2015146067.tif 000063
【０１３８】
（非球面データ）
【０１３９】
【表３】
2015146067.tif 000064
【０１４０】
（レンズ系の各種データ）
【０１４１】
【表４】
2015146067.tif 000065
【０１４２】
（単レンズデータ）
【０１４３】
【表５】
2015146067.tif 000066
【０１４４】
（ズームレンズ群データ）
【０１４５】
【表６】
2015146067.tif 000067
【０１４６】
（ズームレンズ群倍率）
【０１４７】
【表７】
2015146067.tif 000068
【０１４８】
（数値実施例２）
数値実施例２のズームレンズ系は、実施の形態２（図４）に対応する。
【０１４９】
ズームレンズ系の面データを表８に、非球面データを表９に、レンズ系の各種データを表１０に、単レンズデータを表１１に、ズームレンズ群データを表１２に、ズームレンズ群倍率を表１３に示す。
【０１５０】
（面データ）
【０１５１】
【表８】
2015146067.tif 000069
【０１５２】
（非球面データ）
【０１５３】
【表９】
2015146067.tif 000070
【０１５４】
（レンズ系の各種データ）
【０１５５】
【表１０】
2015146067.tif 000071
【０１５６】
（単レンズデータ）
【０１５７】
【表１１】
2015146067.tif 000072
【０１５８】
（ズームレンズ群データ）
【０１５９】
【表１２】
2015146067.tif 000073
【０１６０】
（ズームレンズ群倍率）
【０１６１】
【表１３】
2015146067.tif 000074
【０１６２】
（数値実施例３）
数値実施例３のズームレンズ系は、実施の形態３（図７）に対応する。
【０１６３】
ズームレンズ系の面データを表１４に、非球面データを表１５に、レンズ系の各種データを表１６に、単レンズデータを表１７に、ズームレンズ群データを表１８に、ズームレンズ群倍率を表１９に示す。
【０１６４】
（面データ）
【０１６５】
【表１４】
2015146067.tif 000075
【０１６６】
（非球面データ）
【０１６７】
【表１５】
2015146067.tif 000076
【０１６８】
（レンズ系の各種データ）
【０１６９】
【表１６】
2015146067.tif 000077
【０１７０】
（単レンズデータ）
【０１７１】
【表１７】
2015146067.tif 000078
【０１７２】
（ズームレンズ群データ）
【０１７３】
【表１８】
2015146067.tif 000079
【０１７４】
（ズームレンズ群倍率）
【０１７５】
【表１９】
2015146067.tif 000080
【０１７６】
（数値実施例４）
数値実施例４のズームレンズ系は、実施の形態４（図１０）に対応する。
【０１７７】
ズームレンズ系の面データを表２０に、非球面データを表２１に、各種データを表２２に、単レンズデータを表２３に、ズームレンズ群データを表２４に、ズームレンズ群倍率を表２５に示す。
【０１７８】
（面データ）
【０１７９】
【表２０】
2015146067.tif 000081
【０１８０】
（非球面データ）
【０１８１】
【表２１】
2015146067.tif 000082
【０１８２】
（レンズ系の各種データ）
【０１８３】
【表２２】
2015146067.tif 000083
【０１８４】
（単レンズデータ）
【０１８５】
【表２３】
2015146067.tif 000084
【０１８６】
（ズームレンズ群データ）
【０１８７】
【表２４】
2015146067.tif 000085
【０１８８】
（ズームレンズ群倍率）
【０１８９】
【表２５】
2015146067.tif 000086
【０１９０】
（数値実施例５）
数値実施例５のズームレンズ系は、実施の形態５（図１３）に対応する。
【０１９１】
ズームレンズ系の面データを表２６に、非球面データを表２７に、レンズ系の各種データを表２８に、単レンズデータを表２９に、ズームレンズ群データを表３０に、ズームレンズ群倍率を表３１に示す。
【０１９２】
（面データ）
【０１９３】
【表２６】
2015146067.tif 000087
【０１９４】
（非球面データ）
【０１９５】
【表２７】
2015146067.tif 000088
【０１９６】
（レンズ系の各種データ）
【０１９７】
【表２８】
2015146067.tif 000089
【０１９８】
（単レンズデータ）
【０１９９】
【表２９】
2015146067.tif 000090
【０２００】
（ズームレンズ群データ）
【０２０１】
【表３０】
2015146067.tif 000091
【０２０２】
（ズームレンズ群倍率）
【０２０３】
【表３１】
2015146067.tif 000092
【０２０４】
（数値実施例６）
数値実施例６のズームレンズ系は、実施の形態６（図１６）に対応する。
【０２０５】
ズームレンズ系の面データを表３２に、非球面データを表３３に、レンズ系の各種データを表３４に、単レンズデータを表３５に、ズームレンズ群データを表３６に、ズームレンズ群倍率を表３７に示す。
【０２０６】
（面データ）
【０２０７】
【表３２】
2015146067.tif 000093
【０２０８】
（非球面データ）
【０２０９】
【表３３】
2015146067.tif 000094
【０２１０】
（レンズ系の各種データ）
【０２１１】
【表３４】
2015146067.tif 000095
【０２１２】
（単レンズデータ）
【０２１３】
【表３５】
2015146067.tif 000096
【０２１４】
（ズームレンズ群データ）
【０２１５】
【表３６】
2015146067.tif 000097
【０２１６】
（ズームレンズ群倍率）
【０２１７】
【表３７】
2015146067.tif 000098
【０２１８】
以下の表３８に、各数値実施例に係るズームレンズ系について求めた各条件式の対応値を示す。
【０２１９】
（条件式の対応値）
【０２２０】
【表３８】
2015146067.tif 000099
【産業上の利用可能性】
【０２２１】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０２２２】
１００    カメラシステム
１０１    カメラ本体
１０２    撮像素子
１０４    カメラマウント部
２０１    交換レンズ装置
２０２    ズームレンズ系
２０４    レンズマウント部
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
４枚以上のレンズ素子で構成される、負のパワーを有する第２レンズ群と、
第３レンズ群を含む少なくとも４つのレンズ群で構成される後続レンズ群とからなり、
前記第３レンズ群は、少なくとも２枚以上の正レンズ素子を含む４枚以上のレンズ素子を有し、
前記後続レンズ群には２つ以上の正レンズ群を含み、
前記第１レンズ群、前記第２レンズ群及び前記後続レンズ群のうち最も像側に位置する最像側レンズ群は、広角端から望遠端へのズーミング時に像に対して移動し、
無限遠合焦状態から近接物体合焦状態へのフォーカシングの際に、第３レンズ群と像面の間に配置されたレンズ群をフォーカスレンズ群として光軸に沿って移動し、
以下の条件式（１）、（２）、（５）を同時に満足する、ズームレンズ系：
０．１ ＜ α２ｆ／Ｗｆ ＜ ４．０  ・・・（１）
２．７ ＜ Ｇ１ｆ／Ｗｆ ＜ １４．０  ・・・（２）
２．０ ＜ ｜Ｇ１ｆ／Ｇ２ｆ｜ ＜ ８．０  ・・・（５）
ここで、
Ｗｆ：広角端における全系の焦点距離
α２ｆ：後続レンズ群に含まれる正レンズ群のうち２番目にパワーの強いレンズ群の焦点距離
Ｇ１ｆ：第１レンズ群の焦点距離
Ｇ２ｆ：第２レンズ群の焦点距離
である。
【請求項２】
前記後続レンズ群は、該後続レンズ群のいずれか、または、いずれかの後続レンズ群の一部を光軸に対して垂直方向に移動し、像ぶれを光学的に補正する像ぶれ補正レンズ群を有する、
請求項１に記載のズームレンズ系。
【請求項３】
前記像ぶれ補正レンズ群は、１枚のレンズ素子で構成される、
請求項２に記載のズームレンズ系。
【請求項４】
前記フォーカスレンズ群は２枚以下のレンズ素子で構成される、
請求項１から３に記載のズームレンズ系。
【請求項５】
前記後続レンズ群のうち最も像側に配置されたレンズ素子は正のパワーを有する、
請求項１から４に記載のズームレンズ系。
【請求項６】
前記後続レンズ群のうち最も物体側に配置されたレンズ素子は、物体側に凸面を有する、
請求項１から５に記載のズームレンズ系。
【請求項７】
前記第３レンズ群は、開口絞りを有する、
請求項１から６に記載のズームレンズ系。
【請求項８】
前記第３レンズ群は、広角端から望遠端へのズーミング時に像面に対して移動する、
請求項１から７に記載のズームレンズ系。
【請求項９】
前記後続レンズ群は、広角端から望遠端へのズーミング時に像面に対して移動する、
請求項１から８に記載のズームレンズ系。
【請求項１０】
以下の条件式（３）を満足する、請求項１から９に記載のズームレンズ系：
０．１ ＜ Ｇ１Ｄ／Ｗｆ ＜ １．０  ・・・（３）
ここで、
Ｇ１Ｄ：第１レンズ群Ｇ１の光軸上のレンズの厚み
である。
【請求項１１】
以下の条件式（４）を満足する、請求項１から１０に記載のズームレンズ系：
０．５ ＜ ｜Ｇ２ｆ／Ｗｆ｜ ＜ １．５  ・・・（４）
ここで、
Ｇ２ｆ：第２レンズ群Ｇ２の焦点距離
である。
【請求項１２】
以下の条件式（５）を満足する、請求項１から１１に記載のズームレンズ系：
２．０ ＜ ｜Ｇ１ｆ／Ｇ２ｆ｜ ＜ ８．０  ・・・（５）
である。
【請求項１３】
前記第２群を構成する４枚以上のレンズ素子は以下の条件式（６）を満足する、請求項１から１２に記載のズームレンズ系：
０．０２ ＜ Ｇ２ＬＤ／Ｗｆ ＜ １．０  ・・・（６）
ここで、
Ｇ２ＬＤ：第２レンズ群Ｇ２を構成するレンズ素子の内、最も薄いレンズ素子の厚み
である。
【請求項１４】
ズームレンズ系と、
前記ズームレンズ系が形成する光学像を受光して、電気的な画像信号に変換する撮像センサを含むカメラ本体と接続可能なレンズマウント部と、を備える交換レンズ装置において、
前記ズームレンズ系は、
物体側から像側へと順に、
２枚以下のレンズ素子で構成される、正のパワーを有する第１レンズ群と、
４枚以上のレンズ素子で構成される、負のパワーを有する第２レンズ群と、
第３レンズ群を含む少なくとも３つのレンズ群で構成される後続レンズ群とからなり、
前記後続レンズ群には２つ以上の正レンズ群を含み、
前記第１レンズ群及び前記第２レンズ群は広角端から望遠端へのズーミング時に像に対して移動し、
無限遠合焦状態から近接物体合焦状態へのフォーカシングの際に、第３レンズ群と像面の間に配置されたレンズ群をフォーカスレンズ群として光軸に沿って移動し、
以下の条件式（１）、（２）を同時に満足する、交換レンズ装置。
０．１ ＜ α２ｆ／Ｗｆ ＜ ４．０  ・・・（１）
２．７ ＜ Ｇ１ｆ／Ｗｆ ＜ １４．０  ・・・（２）
ここで、
Ｗｆ：広角端における全系の焦点距離
α２ｆ：後続レンズ群に含まれる正レンズ群のうち２番目にパワーの強いレンズ群の焦点距離
Ｇ１ｆ：第１レンズ群の焦点距離
である。
【請求項１５】
交換レンズ装置と、
前記交換レンズ装置とカメラマウント部を介して着脱可能に接続され、ズームレンズ系が形成する光学像を受光して、電気的な画像信号に変換する撮像センサを含むカメラ本体と、を備えるカメラシステムにおいて、前記交換レンズ装置は、
前記ズームレンズ系と、
前記ズームレンズ系が形成する光学像を受光して、前記カメラ本体と接続可能なレンズマウント部と、を備え、
前記ズームレンズ系は、
物体側から像側へと順に、
２枚以下のレンズ素子で構成される、正のパワーを有する第１レンズ群と、
４枚以上のレンズ素子で構成される、負のパワーを有する第２レンズ群と、
第３レンズ群を含む少なくとも３つのレンズ群で構成される後続レンズ群とからなり、
前記後続レンズ群には２つ以上の正レンズ群を含み、
前記第１レンズ群及び前記第２レンズ群は広角端から望遠端へのズーミング時に像に対して移動し、
無限遠合焦状態から近接物体合焦状態へのフォーカシングの際に、第３レンズ群と像面の間に配置されたレンズ群をフォーカスレンズ群として光軸に沿って移動し、
以下の条件式（１）、（２）を同時に満足する、
カメラシステム。
０．１ ＜ α２ｆ／Ｗｆ ＜ ４．０  ・・・（１）
２．７ ＜ Ｇ１ｆ／Ｗｆ ＜ １４．０  ・・・（２）
ここで、
Ｗｆ：広角端における全系の焦点距離
α２ｆ：後続レンズ群に含まれる正レンズ群のうち２番目にパワーの強いレンズ群の焦点距離
Ｇ１ｆ：第１レンズ群の焦点距離
である。
【手続補正３】
【補正対象書類名】図面
【補正対象項目名】全図
【補正方法】変更
【補正の内容】
【図１】
2015146067.tif 000100
【図２】
2015146067.tif 000101
【図３】
2015146067.tif 000102
【図４】
2015146067.tif 000103
【図５】
2015146067.tif 000104
【図６】
2015146067.tif 000105
【図７】
2015146067.tif 000106
【図８】
2015146067.tif 000107
【図９】
2015146067.tif 000108
【図１０】
2015146067.tif 000109
【図１１】
2015146067.tif 000110
【図１２】
2015146067.tif 000111
【図１３】
2015146067.tif 000112
【図１４】
2015146067.tif 000113
【図１５】
2015146067.tif 000114
【図１６】
2015146067.tif 000115
【図１７】
2015146067.tif 000116
【図１８】
2015146067.tif 000117
【図１９】
2015146067.tif 000118
【国際調査報告】
2015146067.tif 000119
2015146067.tif 000120
2015146067.tif 000121
2015146067.tif 000122